(57)【要約】【課題】関連性の高い画像コンテンツおよび音楽コンテンツを容易に用いる。【解決手段】非日常行動期間抽出部１４０は、移動履歴情報記憶部２００から移動履歴情報を取得し、この取得された移動履歴情報により特定される位置が日常生活領域に含まれるか否かを判定し、その位置が日常生活領域に含まれていない期間（例えば、旅行期間）を抽出する。非日常行動コンテンツ生成部１５０は、その旅行期間において生成された画像コンテンツと、その旅行期間において音声出力された音楽コンテンツとを１つのグループとして決定する。コンテンツ出力制御部１７０は、決定されたグループに属する画像コンテンツおよび音楽コンテンツを関連付けて出力させる。例えば、決定されたグループに属する画像コンテンツを時系列で表示させ、決定されたグループに属する音楽コンテンツを再生頻度に基づく優先順位に従って音声出力させる。【選択図】図２
2011128664.tif 000002
【特許請求の範囲】
【請求項１】
日時情報が関連付けられている位置情報を取得する取得部と、
前記取得された位置情報により特定される位置が登録領域に含まれるか否かを判定して前記位置が前記登録領域に含まれていない期間を抽出する期間抽出部と、
生成日時が関連付けられている画像コンテンツのうち前記抽出された期間において生成された画像コンテンツと、音声出力日時が関連付けられている音楽コンテンツのうち前記抽出された期間において音声出力された音楽コンテンツとを１つのグループとして決定する決定部と
を具備する情報処理装置。
【請求項２】
前記決定部は、前記抽出された期間において前記画像コンテンツの生成頻度が一定条件を満たす期間を一定条件期間として特定して前記一定条件期間を基準とする所定期間において音声出力された前記音楽コンテンツと前記一定条件期間において生成された画像コンテンツとを前記１つのグループとして決定する請求項１記載の情報処理装置。
【請求項３】
前記決定部は、前記一定条件期間において生成された画像コンテンツのうち最先の画像コンテンツの直前に生成された画像コンテンツの生成時から前記一定条件期間の終了時までの範囲を含む期間を前記所定期間として前記１つのグループを決定する請求項２記載の情報処理装置。
【請求項４】
前記決定部は、前記抽出された期間において複数の前記一定条件期間が特定された場合には前記特定された一定条件期間毎に前記１つのグループを決定する請求項２記載の情報処理装置。
【請求項５】
前記決定部は、前記抽出された期間において複数の前記一定条件期間が特定された場合には前記特定された一定条件期間に基づいて前記抽出された期間を分類して当該分類された期間毎に前記１つのグループを決定する請求項４記載の情報処理装置。
【請求項６】
前記決定されたグループに属する画像コンテンツの再生順序に関するリストと前記決定されたグループに属する音楽コンテンツの再生順序に関するリストとを含むプレイリスト情報を生成する生成部と、
前記生成されたプレイリスト情報を記録させる記録制御部と
をさらに具備する請求項１記載の情報処理装置。
【請求項７】
前記生成部は、前記抽出された期間における前記音楽コンテンツの音声出力頻度に基づいて前記音楽コンテンツの再生順序を決定する請求項６記載の情報処理装置。
【請求項８】
前記決定されたグループに属する画像コンテンツおよび音楽コンテンツを関連付けて記録させる記録制御部をさらに具備する請求項１記載の情報処理装置。
【請求項９】
前記期間抽出部は、前記位置が前記登録領域に含まれていない時間帯を含む前記期間を日単位または時間単位の何れかを単位として抽出する請求項１記載の情報処理装置。
【請求項１０】
前記決定されたグループに属する画像コンテンツおよび音楽コンテンツを関連付けて出力させる出力制御部をさらに具備する請求項１記載の情報処理装置。
【請求項１１】
前記出力制御部は、前記決定されたグループに属する画像コンテンツを表す標識の一覧と、前記決定されたグループに属する音楽コンテンツを表す標識の一覧とを同時に表示させる請求項１０記載の情報処理装置。
【請求項１２】
前記出力制御部は、前記決定されたグループに属する画像コンテンツを時系列で順次表示させ、前記抽出された期間における前記音楽コンテンツの音声出力頻度に応じて決定される再生順序に従って前記決定されたグループに属する音楽コンテンツを音声出力させる請求項１０記載の情報処理装置。
【請求項１３】
前記登録領域は、ユーザが日常生活において主に行動する日常生活領域であり、
前記日常生活領域を前記登録領域として登録する日常生活領域登録部をさらに具備する
請求項１記載の情報処理装置。
【請求項１４】
地図上における領域を前記登録領域として指定する指定操作を受け付ける操作受付部と、
前記指定された地図上における領域を前記登録領域として登録する日常生活領域登録部と
をさらに具備する請求項１記載の情報処理装置。
【請求項１５】
前記画像コンテンツにはその生成時に関する位置情報が関連付けられ、
前記取得部は、前記画像コンテンツに関連付けられている位置情報を取得する
請求項１記載の情報処理装置。
【請求項１６】
日時情報が関連付けられている位置情報を取得する取得手順と、
前記取得された位置情報により特定される位置が登録領域に含まれるか否かを判定して前記位置が前記登録領域に含まれていない期間を抽出する期間抽出手順と、
生成日時が関連付けられている画像コンテンツのうち前記抽出された期間において生成された画像コンテンツと、音声出力日時が関連付けられている音楽コンテンツのうち前記抽出された期間において音声出力された音楽コンテンツとを１つのグループとして決定する決定手順と
を具備する情報処理方法。
【請求項１７】
日時情報が関連付けられている位置情報を取得する取得手順と、
前記取得された位置情報により特定される位置が登録領域に含まれるか否かを判定して前記位置が前記登録領域に含まれていない期間を抽出する期間抽出手順と、
生成日時が関連付けられている画像コンテンツのうち前記抽出された期間において生成された画像コンテンツと、音声出力日時が関連付けられている音楽コンテンツのうち前記抽出された期間において音声出力された音楽コンテンツとを１つのグループとして決定する決定手順と
をコンピュータに実行させるプログラム。
【発明の詳細な説明】
【技術分野】
【０００１】
本発明は、情報処理装置に関し、特に、画像コンテンツおよび音楽コンテンツを関連付けて用いる情報処理装置および情報処理方法ならびに当該方法をコンピュータに実行させるプログラムに関する。
【背景技術】
【０００２】
近年、人物や風景等の被写体を撮像して画像データを生成し、この生成された画像データを画像コンテンツ（画像ファイル）として記録するデジタルスチルカメラ等の撮像装置が普及している。また、このように記録された画像コンテンツを再生する場合に、その画像コンテンツの興味を高めるための再生方法が多数提案されている。
【０００３】
例えば、画像コンテンツの再生時には、その画像コンテンツに関連する音楽コンテンツを同時に再生する再生方法が提案されている。これにより、ユーザは画像コンテンツを見ながら、これに関連する音楽をＢＧＭ（Back Ground Music）として聴くことができるため、その画像コンテンツをさらに楽しみながら見ることができる。
【０００４】
例えば、ユーザ操作により選択された画像コンテンツをスライドショーとして表示させ、ユーザ操作により選択された音楽コンテンツをそのスライドショーとともに再生させる方法が提案されている（例えば、特許文献１参照。）。
【先行技術文献】
【特許文献】
【０００５】
【特許文献１】特開２００４−１７０９３６号公報（図１０）
【発明の概要】
【発明が解決しようとする課題】
【０００６】
上述の従来技術では、ユーザ操作により選択された画像コンテンツおよび音楽コンテンツを関連付けて再生させることができる。これにより、ユーザ好みの音楽をＢＧＭとして聴きながら、画像コンテンツのスライドショーを見ることができる。
【０００７】
しかしながら、上述の従来技術では、ＢＧＭを関連付けた画像コンテンツのスライドショーを表示させるためには、画像コンテンツおよび音楽コンテンツのそれぞれをユーザが手動操作により選択する必要がある。このため、例えば、画像コンテンツおよび音楽コンテンツが比較的多い場合には、これらのコンテンツの中からユーザ好みのコンテンツを選択する選択操作が煩雑となるおそれがある。
【０００８】
ここで、例えば、日常生活とは異なる行動をしている場合（例えば、旅行をしている場合）には、静止画または動画等の画像コンテンツをその旅行の思い出として記録することが広く行われている。また、旅行をしているような場合には、その移動中等に音楽を聴いていることが多い。このように記録された画像コンテンツを再生する場合には、その旅行単位でその旅行に関する画像を連続して見ることができれば、ユーザにとって関心の高いコンテンツを提供することができる。このように、その旅行に関する画像コンテンツを再生する場合に、その旅行の際に聴いていた音楽を同時に再生することができれば、ユーザにとってさらに関心の高いコンテンツを提供することができると考えられる。
【０００９】
本発明はこのような状況に鑑みてなされたものであり、関連性の高い画像コンテンツおよび音楽コンテンツを容易に用いることを目的とする。
【課題を解決するための手段】
【００１０】
本発明は、上記課題を解決するためになされたものであり、その第１の側面は、日時情報が関連付けられている位置情報を取得する取得部と、上記取得された位置情報により特定される位置が登録領域に含まれるか否かを判定して上記位置が上記登録領域に含まれていない期間を抽出する期間抽出部と、生成日時が関連付けられている画像コンテンツのうち上記抽出された期間において生成された画像コンテンツと、音声出力日時が関連付けられている音楽コンテンツのうち上記抽出された期間において音声出力された音楽コンテンツとを１つのグループとして決定する決定部とを具備する情報処理装置および情報処理方法ならびに当該方法をコンピュータに実行させるプログラムである。これにより、取得された位置情報により特定される位置が登録領域に含まれるか否かを判定して、その位置が登録領域に含まれていない期間を抽出し、抽出された期間において生成された画像コンテンツと、抽出された期間において音声出力された音楽コンテンツとを１つのグループとして決定するという作用をもたらす。
【００１１】
また、この第１の側面において、上記決定部は、上記抽出された期間において上記画像コンテンツの生成頻度が一定条件を満たす期間を一定条件期間として特定して上記一定条件期間を基準とする所定期間において音声出力された上記音楽コンテンツと上記一定条件期間において生成された画像コンテンツとを上記１つのグループとして決定するようにしてもよい。これにより、抽出された期間において、画像コンテンツの生成頻度が一定条件を満たす期間を一定条件期間として特定し、一定条件期間を基準とする所定期間において音声出力された音楽コンテンツと、一定条件期間において生成された画像コンテンツとを１つのグループとして決定するという作用をもたらす。
【００１２】
また、この第１の側面において、上記決定部は、上記一定条件期間において生成された画像コンテンツのうち最先の画像コンテンツの直前に生成された画像コンテンツの生成時から上記一定条件期間の終了時までの範囲を含む期間を上記所定期間として上記１つのグループを決定するようにしてもよい。これにより、一定条件期間において生成された画像コンテンツのうち最先の画像コンテンツの直前に生成された画像コンテンツの生成時から、一定条件期間の終了時までの範囲を含む期間を所定期間として、１つのグループを決定するという作用をもたらす。
【００１３】
また、この第１の側面において、上記決定部は、上記抽出された期間において複数の上記一定条件期間が特定された場合には上記特定された一定条件期間毎に上記１つのグループを決定するようにしてもよい。これにより、抽出された期間において複数の一定条件期間が特定された場合には、その特定された一定条件期間毎に、１つのグループを決定する
という作用をもたらす。
【００１４】
また、この第１の側面において、上記決定部は、上記抽出された期間において複数の上記一定条件期間が特定された場合には上記特定された一定条件期間に基づいて上記抽出された期間を分類して当該分類された期間毎に上記１つのグループを決定するようにしてもよい。これにより、抽出された期間において複数の一定条件期間が特定された場合には、その特定された一定条件期間に基づいて、抽出された期間を分類し、この分類された期間毎に、１つのグループを決定するという作用をもたらす。
【００１５】
また、この第１の側面において、上記決定されたグループに属する画像コンテンツの再生順序に関するリストと上記決定されたグループに属する音楽コンテンツの再生順序に関するリストとを含むプレイリスト情報を生成する生成部と、上記生成されたプレイリスト情報を記録させる記録制御部とをさらに具備するようにしてもよい。これにより、決定されたグループに属する画像コンテンツの再生順序に関するリストと、決定されたグループに属する音楽コンテンツの再生順序に関するリストとを含むプレイリスト情報を生成し、この生成されたプレイリスト情報を記録させるという作用をもたらす。
【００１６】
また、この第１の側面において、上記生成部は、上記抽出された期間における上記音楽コンテンツの音声出力頻度に基づいて上記音楽コンテンツの再生順序を決定するようにしてもよい。これにより、抽出された期間における音楽コンテンツの音声出力頻度に基づいて、音楽コンテンツの再生順序を決定するという作用をもたらす。
【００１７】
また、この第１の側面において、上記決定されたグループに属する画像コンテンツおよび音楽コンテンツを関連付けて記録させる記録制御部をさらに具備するようにしてもよい。これにより、決定されたグループに属する画像コンテンツおよび音楽コンテンツを関連付けて記録させるという作用をもたらす。
【００１８】
また、この第１の側面において、上記期間抽出部は、上記位置が上記登録領域に含まれていない時間帯を含む期間を日単位または時間単位の何れかを単位として抽出するようにしてもよい。これにより、取得された位置情報により特定される位置が登録領域に含まれていない時間帯を含む期間を日単位または時間単位の何れかを単位として抽出するという作用をもたらす。
【００１９】
また、この第１の側面において、上記決定されたグループに属する画像コンテンツおよび音楽コンテンツを関連付けて出力させる出力制御部をさらに具備するようにしてもよい。これにより、決定されたグループに属する画像コンテンツおよび音楽コンテンツを関連付けて出力させるという作用をもたらす。
【００２０】
また、この第１の側面において、上記出力制御部は、上記決定されたグループに属する画像コンテンツを表す標識の一覧と、上記決定されたグループに属する音楽コンテンツを表す標識の一覧とを同時に表示させるようにしてもよい。これにより、決定されたグループに属する画像コンテンツを表す標識の一覧と、決定されたグループに属する音楽コンテンツを表す標識の一覧とを同時に表示させるという作用をもたらす。
【００２１】
また、この第１の側面において、上記出力制御部は、上記決定されたグループに属する画像コンテンツを時系列で順次表示させ、上記抽出された期間における上記音楽コンテンツの音声出力頻度に応じて決定される再生順序に従って上記決定されたグループに属する音楽コンテンツを音声出力させるようにしてもよい。これにより、決定されたグループに属する画像コンテンツを時系列で順次表示させ、抽出された期間における音楽コンテンツの音声出力頻度に応じて決定される再生順序に従って、決定されたグループに属する音楽コンテンツを音声出力させるという作用をもたらす。
【００２２】
また、この第１の側面において、上記登録領域は、ユーザが日常生活において主に行動する日常生活領域であり、上記日常生活領域を上記登録領域として登録する日常生活領域登録部をさらに具備するようにしてもよい。これにより、日常生活領域を登録領域として登録するという作用をもたらす。
【００２３】
また、この第１の側面において、地図上における領域を上記登録領域として指定する指定操作を受け付ける操作受付部と、上記指定された地図上における領域を上記登録領域として登録する日常生活領域登録部とをさらに具備するようにしてもよい。これにより、地図上における領域を登録領域として指定する指定操作を受け付けると、この指定された地図上における領域を登録領域として登録するという作用をもたらす。
【００２４】
また、この第１の側面において、上記画像コンテンツにはその生成時に関する位置情報が関連付けられ、上記取得部は、上記画像コンテンツに関連付けられている位置情報を取得するようにしてもよい。これにより、画像コンテンツに関連付けられている位置情報を取得し、この取得された位置情報により特定される位置が登録領域に含まれるか否かを判定するという作用をもたらす。
【発明の効果】
【００２５】
本発明によれば、関連性の高い画像コンテンツおよび音楽コンテンツを容易に用いることができるという優れた効果を奏し得る。
【図面の簡単な説明】
【００２６】
【図１】本発明の第１の実施の形態における情報処理システム１０のシステム構成例を示すブロック図である。
【図２】本発明の第１の実施の形態における情報処理装置１００の機能構成例を示すブロック図である。
【図３】本発明の第１の実施の形態における日常生活領域登録部１２０による日常生活領域の登録方法の流れを概略的に示す図である。
【図４】本発明の第１の実施の形態における日常生活領域登録部１２０による日常生活領域の登録方法の流れを概略的に示す図である。
【図５】本発明の第１の実施の形態における日常生活領域登録部１２０による日常生活領域の登録方法の流れを概略的に示す図である。
【図６】本発明の第１の実施の形態における日常生活領域登録部１２０による日常生活領域の登録方法の概略を示す図である。
【図７】本発明の第１の実施の形態における撮像装置１０２、音楽再生装置１０３および位置情報取得装置１０１をユーザが携帯して移動している場合における移動軌跡を示す上面図である。
【図８】本発明の第１の実施の形態における移動履歴情報記憶部２００の記憶内容の一例を模式的に示す図である。
【図９】本発明の第１の実施の形態における画像管理情報記憶部２２０の記憶内容の一例を模式的に示す図である。
【図１０】本発明の第１の実施の形態における音楽再生履歴情報記憶部２３０の記憶内容の一例を模式的に示す図である。
【図１１】本発明の第１の実施の形態における非日常行動コンテンツ生成部１５０による非日常行動コンテンツの生成方法を模式的に示す図である。
【図１２】本発明の第１の実施の形態における非日常行動コンテンツ記憶部１６０の記憶内容の一例を模式的に示す図である。
【図１３】本発明の第１の実施の形態における非日常行動コンテンツ生成部１５０により非日常行動コンテンツを生成する際における表示遷移例を示す図である。
【図１４】本発明の第１の実施の形態における非日常行動コンテンツ生成部１５０により非日常行動コンテンツを生成する際における表示遷移例を示す図である。
【図１５】本発明の第１の実施の形態における非日常行動コンテンツ生成部１５０により非日常行動コンテンツを生成する際における表示遷移例を示す図である。
【図１６】本発明の第１の実施の形態における非日常行動コンテンツ生成部１５０により非日常行動コンテンツを生成する際における表示遷移例を示す図である。
【図１７】本発明の第１の実施の形態における音声出力部１８０および表示部１９０の出力対象となるコンテンツを選択する際における表示遷移例を示す図である。
【図１８】本発明の第１の実施の形態における音声出力部１８０および表示部１９０の出力対象となるコンテンツを選択する際における表示遷移例を示す図である。
【図１９】本発明の第１の実施の形態における非日常行動コンテンツ生成部１５０により非日常行動コンテンツを生成する際における表示遷移例を示す図である。
【図２０】本発明の第１の実施の形態における非日常行動コンテンツ生成部１５０により非日常行動コンテンツを生成する際における表示遷移例を示す図である。
【図２１】本発明の第１の実施の形態における情報処理装置１００による日常生活領域登録処理の処理手順の一例を示すフローチャートである。
【図２２】本発明の第１の実施の形態における情報処理装置１００による非日常行動コンテンツ生成処理の処理手順の一例を示すフローチャートである。
【図２３】本発明の第１の実施の形態における情報処理装置１００による非日常行動コンテンツ生成処理の処理手順のうちのコンテンツ関連付処理の一例を示すフローチャートである。
【図２４】本発明の第１の実施の形態における情報処理装置１００による非日常行動コンテンツ出力制御処理の処理手順の一例を示すフローチャートである。
【図２５】本発明の第２の実施の形態における非日常行動コンテンツ生成部１５０による非日常行動コンテンツの生成方法を模式的に示す図である。
【図２６】本発明の第２の実施の形態における非日常行動コンテンツ生成部１５０による非日常行動コンテンツの生成方法を模式的に示す図である。
【図２７】本発明の第２の実施の形態における非日常行動コンテンツ生成部１５０による非日常行動コンテンツの生成方法を模式的に示す図である。
【図２８】本発明の第２の実施の形態における非日常行動コンテンツ生成部１５０による非日常行動コンテンツの生成方法を模式的に示す図である。
【図２９】本発明の第２の実施の形態における非日常行動コンテンツ生成部１５０による非日常行動コンテンツの生成方法を模式的に示す図である。
【図３０】本発明の第２の実施の形態における非日常行動コンテンツ記憶部６５０の記憶内容の一例を模式的に示す図である。
【図３１】本発明の第２の実施の形態における音声出力部１８０および表示部１９０の出力対象となるコンテンツを選択する際における表示遷移例を示す図である。
【図３２】本発明の第２の実施の形態における音声出力部１８０および表示部１９０の出力対象となるコンテンツを選択する際における表示遷移例を示す図である。
【図３３】本発明の第２の実施の形態における情報処理装置１００による非日常行動コンテンツ生成処理の処理手順の一例を示すフローチャートである。
【図３４】本発明の第２の実施の形態における情報処理装置１００による非日常行動コンテンツ生成処理の処理手順のうちの日付毎のコンテンツ関連付処理の一例を示すフローチャートである。
【図３５】本発明の第３の実施の形態における情報処理システム８００のシステム構成例を示すブロック図である。
【図３６】本発明の第３の実施の形態における撮像装置８０２に記憶される画像管理情報および画像ファイルの記憶内容の一例を模式的に示す図である。
【図３７】本発明の第３の実施の形態における携帯型情報処理装置８５０の機能構成例を示すブロック図である。
【発明を実施するための形態】
【００２７】
以下、本発明を実施するための形態（以下、実施の形態と称する）について説明する。説明は以下の順序により行う。
１．第１の実施の形態（非日常行動コンテンツ生成制御：非日常行動期間における画像コンテンツおよび音楽コンテンツを関連付ける例）
２．第２の実施の形態（非日常行動コンテンツ生成制御：非日常行動期間における一定条件を満たす期間を基準にして画像コンテンツおよび音楽コンテンツを関連付ける例）
３．第３の実施の形態（非日常行動コンテンツ生成制御：情報処理システムの変形例）
【００２８】
＜１．第１の実施の形態＞
［情報処理システムの構成例］
図１は、本発明の第１の実施の形態における情報処理システム１０のシステム構成例を示すブロック図である。情報処理システム１０は、情報処理装置１００と、位置情報取得装置１０１と、撮像装置１０２と、音楽再生装置１０３とを備える。また、位置情報取得装置１０１、撮像装置１０２および音楽再生装置１０３と、情報処理装置１００とのそれぞれは、例えば、装置間インタフェースにより接続される。この装置間インタフェースとして、例えば、ＵＳＢ（Universal Serial Bus）ケーブル等の有線インタフェースやＵＷＢ（Ultra Wide Band：超広帯域無線）等の無線インタフェースを用いることができる。また、位置情報取得装置１０１、撮像装置１０２および音楽再生装置１０３と、情報処理装置１００とのそれぞれを、例えば、インターネット等の通信網（ネットワーク）と接続し、この通信網を介して各種情報のやりとりを行うようにしてもよい。
【００２９】
情報処理装置１００は、位置情報取得装置１０１、撮像装置１０２および音楽再生装置１０３のそれぞれから、コンテンツおよびこれに関する所定情報を取得し、この取得された所定情報に基づいてコンテンツに関する各情報処理を行うものである。情報処理装置１００は、例えば、パーソナルコンピュータにより実現される。なお、情報処理装置１００の内部構成については、図２を参照して詳細に説明する。
【００３０】
位置情報取得装置１０１は、位置情報取得部１０４および移動履歴情報記憶部２００を備える。位置情報取得部１０４は、位置情報取得装置１０１の現在位置を示す位置情報を取得するものである。そして、この取得された位置情報と、その取得時における日時情報とを関連付けた情報（移動履歴情報）が移動履歴情報記憶部２００に記憶される。また、位置情報取得装置１０１は、移動履歴情報記憶部２００に記憶されている移動履歴情報を情報処理装置１００に出力する。位置情報取得装置１０１は、例えば、ＧＰＳ信号受信アンテナにより受信されたＧＰＳ信号に基づいて位置情報を算出するＧＰＳユニットにより実現することができる。この算出された位置情報には、ＧＰＳ信号の受信時における緯度、経度、高度等の位置に関する各データが含まれる。また、他の位置情報の取得方法により位置情報を取得する位置情報取得装置を用いるようにしてもよい。例えば、周囲に存在する無線ＬＡＮ（Local Area Network）によるアクセスポイント情報を用いて位置情報を導き出し、この位置情報を取得する位置情報取得装置を用いるようにしてもよい。なお、移動履歴情報記憶部２００の記憶内容については、図８を参照して詳細に説明する。
【００３１】
撮像装置１０２は、画像コンテンツ記憶部２１０および画像管理情報記憶部２２０を備える。また、撮像装置１０２は、ユーザ操作に基づく撮像動作により生成された画像コンテンツを画像コンテンツ記憶部２１０に記憶する。さらに、撮像装置１０２は、その生成された画像コンテンツと、その撮像時（生成時）における日時情報とを関連付けた情報（画像管理情報）を画像管理情報記憶部２２０に記憶する。そして、撮像装置１０２は、画像コンテンツ記憶部２１０に記憶されている画像コンテンツと、画像管理情報記憶部２２０に記憶されている画像管理情報とを情報処理装置１００に出力する。撮像装置１０２は、例えば、デジタルスチルカメラやデジタルビデオカメラ（例えば、カメラ一体型レコーダ）等の画像コンテンツ記録装置により実現される。なお、画像管理情報記憶部２２０の記憶内容については、図９を参照して詳細に説明する。
【００３２】
音楽再生装置１０３は、音楽再生履歴情報記憶部２３０および音楽コンテンツ記憶部２４０を備える。また、音楽再生装置１０３は、ユーザ操作に基づいて、音楽コンテンツ記憶部２４０に記憶されている音楽コンテンツを再生する。この再生時において、音楽再生装置１０３は、その再生された音楽コンテンツの再生履歴を示す音楽再生履歴情報をその再生時における日時情報に関連付けて音楽再生履歴情報記憶部２３０に記憶する。そして、音楽再生装置１０３は、音楽再生履歴情報記憶部２３０に記憶されている音楽再生履歴情報と、音楽コンテンツ記憶部２４０に記憶されている音楽コンテンツとを情報処理装置１００に出力する。音楽再生装置１０３は、例えば、携帯型音楽プレイヤー等の音楽再生装置により実現される。なお、音楽再生履歴情報記憶部２３０の記憶内容については、図１０を参照して詳細に説明する。
【００３３】
［情報処理装置の構成例］
図２は、本発明の第１の実施の形態における情報処理装置１００の機能構成例を示すブロック図である。なお、位置情報取得装置１０１、撮像装置１０２および音楽再生装置１０３の内部構成については、図１に示す例と同様であるため、ここでの説明を省略する。
【００３４】
情報処理装置１００は、操作受付部１１０と、日常生活領域登録部１２０と、日常生活領域情報記憶部１３０と、非日常行動期間抽出部１４０と、非日常行動コンテンツ生成部１５０とを備える。また、情報処理装置１００は、非日常行動コンテンツ記憶部１６０と、コンテンツ出力制御部１７０と、音声出力部１８０と、表示部１９０とを備える。
【００３５】
操作受付部１１０は、ユーザにより操作された操作内容を受け付ける操作受付部であり、受け付けられた操作内容に応じた操作信号を各部に出力する。例えば、操作受付部１１０は、日常生活領域を登録する際における各操作が受け付けられた場合には、受け付けられた操作内容に応じた操作信号を日常生活領域登録部１２０およびコンテンツ出力制御部１７０に出力する。また、例えば、操作受付部１１０は、非日常行動コンテンツを生成する生成指示操作が受け付けられた場合には、非日常行動コンテンツの生成開始を指示する制御信号を非日常行動期間抽出部１４０に出力する。また、例えば、操作受付部１１０は、非日常行動コンテンツに付すべきタイトルを入力する入力操作が受け付けられた場合には、その入力されたタイトルを付す旨の制御信号を非日常行動コンテンツ生成部１５０に出力する。また、例えば、操作受付部１１０は、非日常コンテンツを再生する再生指示操作が受け付けられた場合には、その再生指示操作に係るコンテンツを再生する旨の制御信号をコンテンツ出力制御部１７０に出力する。これらの操作入力は、例えば、情報処理装置１００に設けられているボタン等の操作部材を用いて行うようにしてもよく、また、リモコン（リモートコントローラ）操作等により無線通信により行うようにしてもよい。
【００３６】
日常生活領域登録部１２０は、操作受付部１１０により受け付けられたユーザ操作に基づいて、非日常行動期間を抽出するための日常生活領域を登録するものである。具体的には、日常生活領域登録部１２０は、操作受付部１１０により受け付けられたユーザ操作に基づいて、地図情報記憶部２５０から位置情報（例えば、緯度および経度）を取得して、ユーザにより指定された日常生活領域を登録する。すなわち、日常生活領域登録部１２０は、ユーザにより指定された日常生活領域に関する情報を日常生活領域情報として日常生活領域情報記憶部１３０に記憶させる。なお、日常生活領域の登録方法については、図３乃至図６を参照して詳細に説明する。
【００３７】
日常生活領域情報記憶部１３０は、ユーザにより指定された日常生活領域に関する情報（日常生活領域情報）を記憶するものであり、記憶されている日常生活領域情報を非日常行動期間抽出部１４０に供給する。
【００３８】
地図情報記憶部２５０は、日常生活領域を登録する際に用いられる地図データと、表示部１９０に地図を表示する際に用いられる地図データと、非日常行動コンテンツに地名（タイトル）を付す際に用いられる地図データとを記憶するものである。また、地図情報記憶部２５０は、記憶されている地図データを日常生活領域登録部１２０、非日常行動コンテンツ生成部１５０およびコンテンツ出力制御部１７０に供給する。例えば、地図情報記憶部２５０に記憶されている地図データは、緯度および経度により特定されるデータであり、一定の緯度幅および経度幅を単位として、複数の領域に区切られている。また、区切られている各領域には、例えば、各領域に対応する地名が関連付けて記録されている。この地名を用いて、非日常行動コンテンツに地名を付すことができる。
【００３９】
非日常行動期間抽出部１４０は、日常生活領域情報記憶部１３０に記憶されている日常生活領域情報に基づいて、非日常行動期間を抽出するものである。具体的には、非日常行動期間抽出部１４０は、移動履歴情報記憶部２００から移動履歴情報を取得する。この移動履歴情報の取得は、例えば、操作受付部１１０により受け付けられたユーザ操作に基づいて行うことができる。また、例えば、位置情報取得装置１０１、撮像装置１０２および音楽再生装置１０３のそれぞれの接続を情報処理装置１００が検出したことを条件に自動的に移動履歴情報の取得を行うようにしてもよい。そして、非日常行動期間抽出部１４０は、取得された移動履歴情報に含まれる位置情報（緯度および経度）のうち、日常生活領域情報記憶部１３０に記憶されている日常生活領域情報により特定される日常生活領域の範囲外となる緯度および経度を特定する。そして、非日常行動期間抽出部１４０は、特定された緯度および経度に関連付けられている日時情報に基づいて非日常行動期間を抽出し、抽出された非日常行動期間に関する情報（非日常行動期間情報）を非日常行動コンテンツ生成部１５０に出力する。ここで、非日常行動期間は、ユーザが日常的に行動する領域（日常生活領域）とは異なる領域で行動している期間を意味する。非日常行動期間として、例えば、ユーザが出張している期間や旅行をしている期間が考えられる。なお、非日常行動期間の抽出方法については、図７および図８を参照して詳細に説明する。また、非日常行動期間抽出部１４０は、特許請求の範囲に記載の取得部および期間抽出部の一例である。
【００４０】
非日常行動コンテンツ生成部１５０は、非日常行動期間抽出部１４０から出力された非日常行動期間情報に基づいて、非日常行動期間に係る画像コンテンツおよび音楽コンテンツを１つのグループとして決定するものである。そして、非日常行動コンテンツ生成部１５０は、１つのグループとして決定された画像コンテンツおよび音楽コンテンツに関する各情報を生成する。具体的には、非日常行動コンテンツ生成部１５０は、画像管理情報記憶部２２０に記憶されている画像管理情報に基づいて、非日常行動期間抽出部１４０により抽出された非日常行動期間において生成された画像コンテンツを抽出する。また、非日常行動コンテンツ生成部１５０は、音楽再生履歴情報記憶部２３０に記憶されている音楽再生履歴情報に基づいて、非日常行動期間抽出部１４０により抽出された非日常行動期間において再生された音楽コンテンツを抽出する。そして、非日常行動コンテンツ生成部１５０は、抽出された画像コンテンツおよび音楽コンテンツを１つのグループとして決定し、この決定された各コンテンツを関連付けて、これらに関する各情報（例えば、非日常行動コンテンツ）を生成する。そして、非日常行動コンテンツ生成部１５０は、生成された非日常行動コンテンツに関する情報（非日常行動コンテンツ情報）を非日常行動コンテンツ記憶部１６０に記録させる。また、非日常行動コンテンツ生成部１５０は、１つのグループとして決定された画像コンテンツおよび音楽コンテンツを関連付けて非日常行動コンテンツ記憶部１６０に記録させるようにしてもよい。
【００４１】
ここで、例えば、非日常行動コンテンツ生成部１５０により音楽コンテンツのみが抽出され、画像コンテンツが抽出されない場合が想定される。この場合には、抽出された音楽コンテンツを用いて非日常行動プレイリスト（例えば、旅行プレイリスト）が生成される。この非日常行動プレイリストは、例えば、抽出された音楽コンテンツの再生頻度に応じて決定された優先順位に従って、抽出された各音楽コンテンツを再生するためのリストである。
【００４２】
また、例えば、非日常行動コンテンツ生成部１５０により画像コンテンツのみが抽出され、音楽コンテンツが抽出されない場合が想定される。この場合には、抽出された画像コンテンツを用いて非日常行動プレイリスト（例えば、旅行プレイリスト）が生成される。この非日常行動プレイリストは、例えば、抽出された画像コンテンツの生成日時に従って、抽出された各画像コンテンツを再生するためのリストである。また、例えば、抽出された画像コンテンツが動画コンテンツである場合には、抽出された動画コンテンツを用いて非日常行動ショートムービーを生成することができる。また、例えば、抽出された画像コンテンツが静止画コンテンツである場合には、抽出された静止画コンテンツを用いて非日常行動アルバムや非日常行動スライドショーを生成することができる。
【００４３】
また、例えば、非日常行動コンテンツ生成部１５０により画像コンテンツおよび音楽コンテンツが抽出された場合には、抽出された画像コンテンツおよび音楽コンテンツを用いて非日常行動プレイリスト（例えば、旅行プレイリスト）が生成される。この非日常行動プレイリストには、例えば、上述した動画コンテンツまたは静止画コンテンツに関する非日常行動プレイリストと同様に生成されたプレイリスト（画像コンテンツを再生させるためのプレイリスト）を含める。また、この非日常行動プレイリストには、例えば、上述した音楽コンテンツに関する非日常行動プレイリストと同様に生成されたプレイリスト（音楽コンテンツを再生させるためのプレイリスト）を含める。これにより、１つのグループとして決定された画像コンテンツおよび音楽コンテンツを同時に再生させることができる。また、例えば、画像コンテンツおよび音楽コンテンツが抽出された場合には、これらの画像コンテンツおよび音楽コンテンツを同時に再生させるための複合スライドショー（例えば、旅行スライドショー）を生成するようにしてもよい。なお、非日常行動プレイリストの生成例については、図９乃至図１６を参照して詳細に説明する。また、非日常行動コンテンツ生成部１５０は、特許請求の範囲に記載の決定部、生成部および記録制御部の一例である。
【００４４】
非日常行動コンテンツ記憶部１６０は、非日常行動コンテンツ生成部１５０により生成された非日常行動コンテンツ情報を記憶するものであり、記憶されている非日常行動コンテンツ情報をコンテンツ出力制御部１７０に供給する。なお、非日常行動コンテンツ記憶部１６０の記憶内容の一例については、図１２を参照して詳細に説明する。
【００４５】
コンテンツ出力制御部１７０は、操作受付部１１０により受け付けられたユーザ操作に基づいて、各コンテンツを音声出力部１８０および表示部１９０に出力させるものである。具体的には、コンテンツ出力制御部１７０は、画像コンテンツ記憶部２１０または非日常行動コンテンツ記憶部１６０に記憶されている各画像コンテンツを表示部１９０に表示させる。また、コンテンツ出力制御部１７０は、音楽コンテンツ記憶部２４０または非日常行動コンテンツ記憶部１６０に記憶されている各音楽コンテンツを音声出力部１８０に出力させる。なお、コンテンツ出力例については、図１７、図１８等を参照して詳細に説明する。また、コンテンツ出力制御部１７０は、特許請求の範囲に記載の出力制御部の一例である。
【００４６】
音声出力部１８０は、コンテンツ出力制御部１７０の制御に基づいて、音声情報を出力するものである。音声出力部１８０は、例えば、スピーカにより実現することができる。
【００４７】
表示部１９０は、コンテンツ出力制御部１７０の制御に基づいて、各画像を表示する表示部である。表示部１９０として、例えば、ＬＣＤ（Liquid Crystal Display）、有機ＥＬ（Electro Luminescence）パネル等を用いることができる。
【００４８】
［日常生活領域の登録例］
図３乃至図５は、本発明の第１の実施の形態における日常生活領域登録部１２０による日常生活領域の登録方法の流れを概略的に示す図である。図３（ａ）には、日常生活領域を登録する際に用いられる日常生活領域登録画面３００を示す。なお、図３乃至図５に示す例では、説明の容易のため、ユーザが日常生活において立ち寄る場所（日常生活において繰り返し移動先となる場所）（Ｐ１）３０１乃至（Ｐ３）３０３以外の場所に関する地図については簡略化して示す。場所（Ｐ１）３０１は、例えば、ユーザの自宅（家）である。また、場所（Ｐ２）３０２および（Ｐ３）３０３は、例えば、ユーザの自宅以外でユーザが日常生活において立ち寄る場所である。ユーザが日常生活において立ち寄る場所は、例えば、ユーザの勤務先、保育園、幼稚園、小学校、中学校、高校、大学等の子供の学校、親しい人の家、実家等である。
【００４９】
最初に、日常生活領域を登録する場合には、例えば、表示部１９０に表示されるメニュー画面（図示せず）において、日常生活領域を登録するための登録指示操作を行う。この登録指示操作の際には、日常生活領域として登録すべき地域を指定する指定操作が行われる。
【００５０】
例えば、図３（ａ）に示すように、場所（Ｐ１）３０１乃至（Ｐ３）３０３を日常生活領域として指定する場合を想定する。この場合には、場所（Ｐ１）３０１乃至（Ｐ３）３０３が存在する地域に相当する地図を含む日常生活領域登録画面３００を表示部１９０に表示させる操作入力が行われる。なお、日常生活領域登録画面３００に含まれる地図を表示させるための地図情報は、ユーザからの指定操作に応じて、コンテンツ出力制御部１７０が地図情報記憶部２５０から取得する。また、情報処理装置１００以外の地図情報記憶装置に地図情報を記憶させておき、インターネット等のネットワークを介してその地図情報記憶装置から地図情報を取得するようにしてもよい。また、日常生活領域を登録する場合には、情報処理装置１００以外の他の装置（パーソナルコンピュータ等）において日常生活領域を設定し、この設定内容を情報処理装置１００に転送して登録させるようにしてもよい。
【００５１】
日常生活領域登録画面３００には、ユーザにより指定された地域の地図が表示されるとともに、「決定」ボタン３１１と、「削除」ボタン３１２と、「取消し」ボタン３１３と、「戻る」ボタン３１４と、矢印ボタン３１６乃至３１９とが表示される。また、住所表示領域３１５には、日常生活領域登録画面３００に表示されている地域の住所が表示される。なお、日常生活領域登録画面３００には、マウス（図示せず）の動きに応じて移動するカーソル（マウスポインタ）３１０が表示される。カーソル３１０は、表示部１９０に表示される画面上において、指示や操作の対象を指し示すために用いられるマウスポインタである。
【００５２】
「決定」ボタン３１１は、ユーザにより指定された日常生活領域を確定する場合に押下されるボタンである。「削除」ボタン３１２は、既に登録されている日常生活領域を削除する場合に押下されるボタンである。「取消し」ボタン３１３は、ユーザにより指定された日常生活領域を取り消す場合に押下されるボタンである。
【００５３】
「戻る」ボタン３１４は、表示部１９０に表示されている画面を直前の画面に戻す際に押下されるボタンである。例えば、複数の階層構造により各画面が遷移する場合において、「戻る」ボタン３１４が押下された場合には、表示部１９０に表示されている画面の１つ上の階層の画面が表示される。また、以下で示す他の「戻る」ボタンについても同様である。
【００５４】
矢印ボタン３１６乃至３１９は、日常生活領域登録画面３００に表示されている地図を上下左右の何れかに移動させる際に押下されるボタンである。
【００５５】
次に、日常生活領域登録画面３００において、場所（Ｐ１）３０１乃至（Ｐ３）３０３に関する日常生活領域を登録する場合における操作方法について説明する。
【００５６】
図３（ｂ）には、日常生活領域登録画面３００において場所（Ｐ１）３０１を指定する場合における表示例を示す。最初に、日常生活領域登録画面３００に表示されている地図上において、場所（Ｐ１）３０１を含む円形状の領域を日常生活領域としてユーザが指定する。この指定方法として、例えば、日常生活領域登録画面３００において、指定すべき領域に相当する円をカーソル３１０により書くことにより日常生活領域を指定する指定方法を用いることができる。また、指定すべき領域の日常生活領域登録画面３００上の中心位置にカーソル３１０を重ねた状態で所定操作（例えば、マウスのクリック操作）を行い、この所定操作の回数に応じて円を順次拡大させていくことにより日常生活領域を指定することができる。また、日常生活領域の直径となる日常生活領域登録画面３００上の２点を指定する指定操作を行い、この２点により特定される円の領域を日常生活領域として指定する指定方法を用いることができる。このように指定された日常生活領域を、例えば、日常生活領域３０４として点線（半径Ｒ１の円）で示す。このように、ユーザ操作により日常生活領域が指定された場合には、その指定された領域（日常生活領域３０４）が選択状態であることがユーザに通知される。例えば、その指定された領域（日常生活領域３０４）を表す点線を点滅させることにより、その指定された領域（日常生活領域３０４）が選択状態であることを通知する。
【００５７】
また、図３（ｂ）に示す指定方法と同様に、場所（Ｐ２）３０２および（Ｐ３）３０３を指定することができる。このように指定された場合における表示例を図４（ａ）に示す。
【００５８】
図４（ａ）には、日常生活領域登録画面３００において場所（Ｐ２）３０２および（Ｐ３）３０３が指定された場合における表示例を示す。このように指定された日常生活領域を、例えば、日常生活領域３０５、３０６として点線（半径Ｒ２、Ｒ３の円）で示す。
【００５９】
ここで、ユーザが日常生活において立ち寄る場所が複数存在する場合には、これらの各場所間をユーザが移動するため、これらの各場所を結ぶ領域（各場所間を移動するための移動経路領域）についても、日常生活において立ち寄る場所となることが想定される。そこで、本発明の第１の実施の形態では、ユーザにより複数の日常生活領域が指定された場合には、指定された複数の日常生活領域を結ぶ移動経路領域についても日常生活領域として登録する。
【００６０】
図４（ｂ）には、日常生活領域登録画面３００において日常生活領域として指定された場所（Ｐ１）３０１乃至（Ｐ３）３０３に関する移動経路領域を設定する場合における表示例を示す。本発明の第１の実施の形態では、２つの日常生活領域に対応する２つの円の両方に接する２つの直線（共通接線）により、移動経路領域を設定する例を示す。具体的には、図４（ｂ）に示す例では、日常生活領域３０４および３０５に関する移動経路領域３０７と、日常生活領域３０５および３０６に関する移動経路領域３０８と、日常生活領域３０６および３０４に関する移動経路領域３０９とを設定する。すなわち、移動経路領域３０７は、日常生活領域３０４および３０５に対応する２つの円に接する２つの共通接線により特定される移動経路領域である。また、移動経路領域３０８は、日常生活領域３０５および３０６に対応する２つの円に接する２つの共通接線により特定される移動経路領域である。また、移動経路領域３０８は、日常生活領域３０６および３０４に対応する２つの円に接する２つの共通接線により特定される移動経路領域である。このように指定された日常生活領域３０４乃至３０６と、これらにより特定された移動経路領域３０７乃至３０９とにより構成される領域（日常生活領域）について、図４（ｂ）では白塗り領域として示す。
【００６１】
例えば、図４（ｂ）に示すように指定された領域（日常生活領域３０４乃至３０６および移動経路領域３０７乃至３０９により構成される領域）を、日常生活領域として確定させる場合には、その状態で「決定」ボタン３１１をカーソル３１０を用いて押下する。この押下により、日常生活領域登録部１２０が、点線で囲まれている領域に関する日常生活領域情報（例えば、指定された領域の緯度および経度）を日常生活領域情報記憶部１３０に記憶させる。ここで、指定された領域を取り消す場合には、既に指定された領域が点線で囲まれている状態で、「取消し」ボタン３１３をユーザが押下する。この押下により点線が消去され、新たに日常生活領域の指定を行うことができる。
【００６２】
ここで、日常生活領域情報記憶部１３０に記憶されている日常生活領域を削除する場合には、地図上に表示されている「削除」ボタン３１２をカーソル３１０を用いて押下し、削除すべき日常生活領域を地図上に表示させてユーザが指定する。この指定方法として、例えば、削除すべき日常生活領域内の何れかの部分をカーソル３１０を用いて指定する指定方法を用いることができる。また、これらの登録操作または削除操作が終了した場合には、ユーザが「決定」ボタン３１１を押下することにより、登録操作または削除操作を確定させることができる。
【００６３】
なお、日常生活領域の指定方法として、例えば、住所の入力によって地図上の座標位置を指定し、この座標位置を用いて日常生活領域を指定するようにしてもよい。
【００６４】
ここで、ユーザにより指定された日常生活領域と、これらにより特定された移動経路領域とにより囲まれる内部領域（例えば、図４（ｂ）に示す領域３２９）が発生する場合が想定される。この内部領域については、例えば、その大きさが一定サイズであるか否かに応じて、日常生活領域として登録するか否かを判断するようにしてもよい。例えば、図４（ｂ）に示す領域３２９の大きさが一定サイズ以上である場合には、日常生活領域として登録しない。一方、領域３２９の大きさが一定サイズ未満である場合には、ユーザにより指定された日常生活領域およびこれらにより特定された移動経路領域とともに、領域３２９を日常生活領域として登録する。
【００６５】
なお、図４（ｂ）に示す例では、２つの日常生活領域に関する共通接線により特定される移動経路領域を日常生活領域として設定する例を示した。しかしながら、例えば、ユーザが移動手段として使用する公共交通機関の移動経路が、それらの移動経路領域よりも大きく外れていることも想定される。このような場合には、上述した設定方法により設定された移動経路領域とともに、ユーザの移動経路として想定される経路をユーザの手動操作または自動操作（例えば、電車の線路情報を用いた自動操作）により設定することができる。この設定例を図５に示す。
【００６６】
図５（ａ）には、日常生活領域登録画面３００において、２つの日常生活領域に関する共通接線により特定される移動経路領域以外の移動経路領域を設定する場合における表示例を示す。図５（ａ）では、場所（Ｐ１）３０１および（Ｐ２）３０２間を結ぶ道をユーザが移動経路３２０として用いる場合を例にして示す。例えば、移動経路３２０を移動経路領域として指定する場合には、ユーザの手動操作または自動操作により指定することができる。例えば、ユーザの手動操作により指定する場合には、カーソル３１０を用いて移動経路３２０に対応する道をなぞることにより指定することができる。また、例えば、自動操作により指定する場合には、地図データの道路情報を用いて移動経路３２０に対応する道を特定することにより指定することができる。
【００６７】
図５（ｂ）には、日常生活領域登録画面３００において日常生活領域３０４乃至３０６と、移動経路領域３０７乃至３０９と、移動経路領域３２１とにより構成される日常生活領域を登録する場合における表示例を示す。すなわち、図５（ｂ）に示す登録対象となる日常生活領域は、図４（ｂ）に示す登録対象となる日常生活領域に、移動経路領域３２１が付加された領域である。なお、移動経路領域３２１については、その領域のみを登録するようにしてもよく、その領域を含む一定範囲内の領域（例えば、移動経路領域３２１の両側の一定幅の領域）を登録するようにしてもよい。
【００６８】
なお、図３乃至図５に示す例では、日常生活領域登録画面３００においてカーソル３１０を用いて日常生活領域を登録する例を示した。ただし、例えば、タッチパネルに日常生活領域登録画面を表示させ、日常生活領域を登録する場合には、ユーザの指による接触操作または近接操作により日常生活領域を登録することができる。
【００６９】
また、図３乃至図５に示す例では、表示部１９０に地図を表示させ、この地図上でユーザの手動操作により円領域および移動経路を指定して日常生活領域を登録する例について説明した。しかしながら、例えば、国単位、都道府県単位、市町村単位等の一定の地域単位で日常生活領域を登録するようにしてもよい。例えば、自分が住んでいる国では、非日常行動コンテンツ（例えば、旅行に関するコンテンツ）の生成を所望しないユーザが想定される。このユーザが、例えば、旅行等で外国に行った場合には、これらの旅行に関するコンテンツの生成を所望する場合が想定される。このような場合には、地域単位で日常生活領域を指定することにより登録操作をさらに容易にすることができる。そこで、以下では、国や都道府県等の単位で、日常生活領域を指定する登録方法について図面を参照して詳細に説明する。
【００７０】
図６は、本発明の第１の実施の形態における日常生活領域登録部１２０による日常生活領域の登録方法の概略を示す図である。図６（ａ）には、国単位で日常生活領域を登録する場合における表示部１９０の表示例を示す。また、図６（ｂ）には、都道府県単位で日常生活領域を登録する場合における表示部１９０の表示例を示し、図６（ｃ）には、市町村単位で日常生活領域を登録する場合における表示部１９０の表示例を示す。
【００７１】
図６（ａ）には、国単位で日常生活領域を登録する際に用いられる日常生活領域登録画面３５０を示す。日常生活領域登録画面３５０には、所望の国を選択するための国選択ボタン３５１乃至３５４が表示される。なお、図６（ａ）に示す表示例では、日本等の４つの国についてのみ示すが、例えば、スクロールバー３４２、上下スクロールボタン３４３および３４４を用いることにより、他の国選択ボタンを表示させることができる。そして、カーソル３４１を用いて、１または複数の国選択ボタンが選択された後に、「決定」ボタン３４５が押下されると、選択された国に対応する日常生活領域を確定する。なお、「取消し」ボタン３４６が押下されると、既に選択された日常生活領域が取り消される。また、「戻る」ボタン３４７が押下されると、直前に表示されていた他の画面が表示される。また、「都道府県単位選択画面へ」ボタン３５５が押下されると、図６（ｂ）に示す日常生活領域登録画面３６０が表示部１９０に表示される。
【００７２】
図６（ｂ）には、都道府県単位で日常生活領域を登録する際に用いられる日常生活領域登録画面３６０を示す。日常生活領域登録画面３６０には、所望の都道府県を選択するための都道府県選択ボタン３６１乃至３６４が表示される。なお、他の道府県選択ボタンの表示方法や日常生活領域の選択方法等については、図６（ａ）に示す例と略同様であるため、ここでの説明を省略する。また、「市町村単位選択画面へ」ボタン３６５が押下されると、図６（ｃ）に示す日常生活領域登録画面３７０が表示部１９０に表示される。
【００７３】
図６（ｃ）には、市町村単位で日常生活領域を登録する際に用いられる日常生活領域登録画面３７０を示す。日常生活領域登録画面３７０には、所望の市町村を選択するための市町村選択ボタン３７１乃至３７４が表示される。なお、他の市町村選択ボタンの表示方法や日常生活領域の選択方法等については、図６（ａ）に示す例と略同様であるため、ここでの説明を省略する。また、「手動選択画面へ」ボタン３７５が押下されると、例えば、図３（ａ）に示す日常生活領域登録画面３００に誘導するためのメニュー画面が表示部１９０に表示される。
【００７４】
図６（ａ）乃至（ｃ）に示す日常生活領域画面において、日常生活領域が決定されると、その決定された日常生活領域が登録される。すなわち、日常生活領域情報記憶部１３０には、その決定された地域（国単位、都道府県単位等）を特定する日常生活領域情報（例えば、決定された地域を特定する緯度および経度）が記憶される。
【００７５】
なお、図６に示す例では、国、都道府県ボタン等の押下により所望の地域を指定する例について説明したが、例えば、国単位や都道府県単位等の地図を表示させ、所望の地域を押下することにより、国や都道府県単位の指定を行うようにしてもよい。
【００７６】
［非日常行動の判定例］
図７は、本発明の第１の実施の形態における撮像装置１０２、音楽再生装置１０３および位置情報取得装置１０１をユーザが携帯して移動している場合における移動軌跡を示す上面図である。図７（ａ）および（ｂ）には、図３等に示す日常生活領域登録画面３００に表示されている地図に対応する地域３３０において、撮像装置１０２、音楽再生装置１０３および位置情報取得装置１０１をユーザが携帯して移動している場合を模式的に示す。すなわち、地域３３０（点線の矩形で示す範囲内の地域）は、図３等に示す日常生活領域登録画面３００に表示されている地図に対応する地域である。また、図７では、日常生活領域（日常生活領域３０４乃至３０６、移動経路領域３０７乃至３０９、移動経路領域３２１）の範囲を特定するための円および直線を点線で示し、図３等に示す符号と同一の符号を付して説明する。
【００７７】
図７（ａ）には、ユーザが、日常生活領域３０４乃至３０９、３２１内を移動する場合における移動軌跡の例を示す。例えば、図７（ａ）に示す移動軌跡（実線の矢印で示す）３２２および３２３のように、ユーザが日常生活領域３０４乃至３０９、３２１内を移動する場合には、日常生活の移動軌跡であると非日常行動期間抽出部１４０が判定する。
【００７８】
一方、図７（ｂ）に示す移動軌跡（実線の矢印で示す）３２４のように、ユーザが日常生活領域３０４乃至３０９、３２１の範囲外に移動する場合には、非日常行動の移動軌跡であると非日常行動期間抽出部１４０が判定する。
【００７９】
ここで、本発明の第１の実施の形態では、非日常行動の判定を１日単位で行う例を示す。例えば、１日のうちの一瞬でも日常生活領域３０４乃至３０９、３２１の範囲外に移動したような場合には、その１日を非日常行動であると非日常行動期間抽出部１４０が判定する。このように判定される場合における移動履歴情報の一例を図８に示す。また、例えば、日常生活領域３０４乃至３０９、３２１の範囲外に移動した期間が数日間である場合には、その数日間を１グループとして非日常行動を判定する。
【００８０】
［移動軌跡情報記憶部の記憶例］
図８は、本発明の第１の実施の形態における移動履歴情報記憶部２００の記憶内容の一例を模式的に示す図である。移動履歴情報記憶部２００には、位置情報２０１および日時情報２０２が関連付けて記憶されている。
【００８１】
位置情報２０１には、位置情報取得装置１０１の位置情報取得部１０４により取得された位置情報（例えば、緯度および経度）が格納される。この位置情報は、例えば、一定間隔（例えば、１０秒間隔）で取得するようにしてもよく、不定期（例えば、直前の移動距離が一定以上の長さになった場合には取得間隔を密にする）に取得するようにしてもよい。
【００８２】
日時情報２０２には、位置情報取得装置１０１の位置情報取得部１０４により位置情報が取得された際における日時情報（例えば、月日および時刻）が格納される。
【００８３】
ここで、非日常行動期間抽出部１４０が、移動履歴情報記憶部２００に記憶されている位置情報２０１に基づいて非日常行動を判定する判定方法について説明する。
【００８４】
非日常行動期間抽出部１４０は、位置情報２０１に格納されている緯度および経度のうち、日常生活領域情報記憶部１３０に記憶されている日常生活領域の範囲外となる緯度および経度が存在するか否かを判断する。そして、非日常行動期間抽出部１４０は、位置情報２０１に格納されている緯度および経度のうち、日常生活領域情報記憶部１３０に記憶されている日常生活領域の範囲外となる緯度および経度が存在しない場合には、非日常行動期間が存在しないと判定する。すなわち、位置情報２０１に格納されている緯度および経度の全てが、日常生活領域情報記憶部１３０に記憶されている日常生活領域の範囲内である場合には、非日常行動期間が存在しないと判定される。
【００８５】
一方、非日常行動期間抽出部１４０は、位置情報２０１に格納されている緯度および経度のうち、日常生活領域情報記憶部１３０に記憶されている日常生活領域の範囲外となる緯度および経度が存在する場合には、非日常行動期間が存在すると判定する。この場合には、非日常行動期間抽出部１４０は、日常生活領域情報記憶部１３０に記憶されている日常生活領域の範囲外となる緯度および経度に関連付けて日時情報２０２に格納されている日時情報に基づいて、非日常行動期間を抽出する。例えば、１日単位で非日常行動期間を抽出する場合を例にして説明する。非日常行動期間抽出部１４０は、位置情報２０１に格納されている緯度および経度のうち、日常生活領域情報記憶部１３０に記憶されている日常生活領域の範囲外となる緯度および経度を特定する。そして、非日常行動期間抽出部１４０は、その特定された緯度および経度に関連付けられている日時情報２０２の日付を特定し、この特定された日付に対応する期間を非日常行動期間として抽出する。
【００８６】
例えば、図８に示す位置情報２０１のうち、点線の矩形２０３で囲まれている緯度および経度が、日常生活領域情報記憶部１３０に記憶されている日常生活領域の範囲外であるものとする。この場合には、矩形２０３で囲まれている緯度および経度に関連付けて日時情報２０２に格納されている日付は「２００９．１１．２１」である。このため、日時情報２０２に格納されている日時情報のうち、日付が「２００９．１１．２１」である日時情報の全てが、非日常行動期間として抽出される。すなわち、点線の矩形２０４で囲まれている期間が非日常行動期間として抽出される。
【００８７】
また、位置情報２０１に格納されている緯度および経度のうち、日常生活領域情報記憶部１３０に記憶されている日常生活領域の範囲外となる緯度および経度が、複数日に亘る場合についても同様に、１日単位で非日常行動期間が抽出される。
【００８８】
ここで、例えば、日常生活の中でも、特別な買い物等のために、登録されている日常生活領域の範囲外に一時的に移動することも想定される。このような場合には、その一日を非日常行動と判定しないようにしてもよい。例えば、図７に示す日常生活領域３０４乃至３０９、３２１の範囲外に移動したような場合であっても、その範囲外における移動時間が閾値（例えば、１時間）を越えていない場合には、非日常行動と判定しないようにしてもよい。また、例えば、その範囲外における移動時間が閾値（例えば、１時間）を越えるごとに、その期間を１つの非日常行動期間としてグループ化するようにしてもよい。
【００８９】
また、非日常行動の判定に、曜日情報を用いるようにしてもよい。例えば、土曜日、日曜日、祝日にのみ、非日常行動の判定を行うようにしてもよい。これにより、土曜日、日曜日、祝日において旅行したような場合にのみ、非日常行動であると判定することができる。
【００９０】
［画像管理情報記憶部の記憶例］
図９は、本発明の第１の実施の形態における画像管理情報記憶部２２０の記憶内容の一例を模式的に示す図である。画像管理情報記憶部２２０には、画像コンテンツ識別情報２２１および日時情報２２２が関連付けて記憶されている。
【００９１】
画像コンテンツ識別情報２２１には、撮像装置１０２により生成された画像コンテンツを識別するための識別情報が格納される。図９に示す例では、画像コンテンツ識別情報２２１として、Ｐ１乃至Ｐ１５が格納されている場合を例にして示す。なお、画像コンテンツを生成する場合には同一の画像コンテンツが生成されることがないため、各画像コンテンツには異なる識別情報が付与される。
【００９２】
日時情報２２２には、撮像装置１０２により画像コンテンツが生成された際における日時情報（例えば、月日および時刻）が格納される。
【００９３】
ここで、図８に示す例で抽出された非日常行動期間において生成された画像コンテンツを抽出する例について説明する。
【００９４】
非日常行動コンテンツ生成部１５０は、非日常行動期間抽出部１４０により抽出された非日常行動期間に対応する日付が日時情報２２２に存在するか否かを判断する。そして、非日常行動コンテンツ生成部１５０は、非日常行動期間抽出部１４０により抽出された非日常行動期間に対応する日付が日時情報２２２に存在しない場合には、抽出すべき画像コンテンツが存在しないと判定する。すなわち、日時情報２２２の全てが、非日常行動期間抽出部１４０により抽出された非日常行動期間に対応する日付でない場合には、抽出すべき画像コンテンツが存在しないと判定される。
【００９５】
一方、非日常行動コンテンツ生成部１５０は、非日常行動期間抽出部１４０により抽出された非日常行動期間に対応する日付が日時情報２２２に存在する場合には、抽出すべき画像コンテンツが存在すると判定する。この場合には、非日常行動コンテンツ生成部１５０は、非日常行動期間に対応する日付に関連付けて画像コンテンツ識別情報２２１に格納されている識別情報（Ｐ１乃至Ｐ１５等）に基づいて、画像コンテンツを抽出する。
【００９６】
例えば、図９に示す日時情報２２２のうち、点線の矩形２２３で囲まれている日付は「２００９．１１．２１」である。このため、画像コンテンツ識別情報２２１のうち、点線の矩形２２３で囲まれている識別情報（Ｐ３乃至Ｐ１４）に対応する画像コンテンツが抽出される。
【００９７】
なお、この例では、画像管理情報記憶部２２０に記憶されている日時情報を用いて画像コンテンツを抽出する例を示すが、画像コンテンツ自体に記憶されている日時情報を用いて画像コンテンツを抽出するようにしてもよい。
【００９８】
［音楽再生履歴情報記憶部の記憶例］
図１０は、本発明の第１の実施の形態における音楽再生履歴情報記憶部２３０の記憶内容の一例を模式的に示す図である。音楽再生履歴情報記憶部２３０には、音楽コンテンツ識別情報２３１および履歴情報２３２が関連付けて記憶されている。
【００９９】
音楽コンテンツ識別情報２３１には、音楽再生装置１０３により再生された音楽コンテンツを識別するための識別情報が格納される。図１０に示す例では、音楽コンテンツ識別情報２３１として、Ｍ１乃至Ｍ６が格納されている場合を例にして示す。なお、音楽コンテンツを再生する場合には、ユーザの好みに応じて、同一の音楽を繰り返し再生する場合等があるため、同一の音楽コンテンツが異なる時間帯に複数回再生されることがある。このため、音楽コンテンツ識別情報２３１には、異なる時間帯に同一の識別情報が格納されることがある。
【０１００】
履歴情報２３２には、音楽再生装置１０３により音楽コンテンツが再生された際における日時情報（例えば、月日および時刻）が履歴情報として格納される。
【０１０１】
ここで、図８に示す例で抽出された非日常行動期間において生成された音楽コンテンツを抽出する例について説明する。
【０１０２】
非日常行動コンテンツ生成部１５０は、非日常行動期間抽出部１４０により抽出された非日常行動期間に対応する日付が履歴情報２３２に存在するか否かを判断する。そして、非日常行動コンテンツ生成部１５０は、非日常行動期間抽出部１４０により抽出された非日常行動期間に対応する日付が履歴情報２３２に存在しない場合には、抽出すべき音楽コンテンツが存在しないと判定する。すなわち、履歴情報２３２の全てが、非日常行動期間抽出部１４０により抽出された非日常行動期間に対応する日付でない場合には、抽出すべき音楽コンテンツが存在しないと判定される。
【０１０３】
一方、非日常行動コンテンツ生成部１５０は、非日常行動期間抽出部１４０により抽出された非日常行動期間に対応する日付が履歴情報２３２に存在する場合には、抽出すべき音楽コンテンツが存在すると判定する。この場合には、非日常行動期間抽出部１４０は、非日常行動期間に対応する日付に関連付けて音楽コンテンツ識別情報２３１に格納されている識別情報（Ｍ１乃至Ｍ６等）に基づいて、音楽コンテンツを抽出する。
【０１０４】
例えば、図１０に示す履歴情報２３２のうち、点線の矩形２３３で囲まれている履歴情報の日付は「２００９．１１．２１」である。このため、音楽コンテンツ識別情報２３１のうち、点線の矩形２３３で囲まれている識別情報に対応する音楽コンテンツが抽出される。この場合に、非日常行動期間抽出部１４０により抽出された非日常行動期間（履歴情報の日付が「２００９．１１．２１」）における音楽コンテンツの再生頻度（再生回数）が算出される。具体的には、非日常行動期間における音楽コンテンツの再生頻度は、Ｍ２が５であり、Ｍ３が４であり、Ｍ５が３であり、Ｍ４が２であり、Ｍ１が１である。この再生頻度に基づいて、音楽コンテンツの優先順位が決定される。例えば、非日常行動期間における再生頻度が高い音楽コンテンツから、Ｍ２→Ｍ３→Ｍ５→Ｍ４→Ｍ１のように優先順位が決定される。なお、再生頻度が同じ値である音楽コンテンツについては、例えば、再生時間が早いものの順位を高くして、優先順位を決定するようにしてもよい。このように決定された優先順位を用いて、非日常行動期間に関する各情報（例えば、プレイリスト情報）が生成される。このプレイリストの生成に関しては、図１１を参照して詳細に説明する。
【０１０５】
［非日常行動コンテンツの生成例］
図１１は、本発明の第１の実施の形態における非日常行動コンテンツ生成部１５０による非日常行動コンテンツの生成方法を模式的に示す図である。図１１（ａ）には、撮像装置１０２により生成された画像コンテンツ（静止画ファイル）Ｐ１乃至Ｐ１５を、各画像コンテンツに関連付けて記録されている日時情報（撮影時刻）に基づいて時系列で並べて示す。また、図１１（ｂ）には、音楽再生装置１０３により再生された音楽コンテンツ（音楽ファイル）Ｍ１乃至Ｍ６を、その再生履歴として各音楽コンテンツに関連付けて記録されている履歴情報（再生時刻）に基づいて時系列で並べて示す。なお、画像コンテンツＰ１乃至Ｐ１５は、図９に示す画像コンテンツ識別情報２２１のＰ１乃至Ｐ１５に対応し、音楽コンテンツＭ１乃至Ｍ６は、図１０に示す音楽コンテンツ識別情報２３１のＭ１乃至Ｍ６に対応する。
【０１０６】
また、図１１では、説明の容易のため、画像コンテンツＰ１乃至Ｐ１５、音楽コンテンツＭ１乃至Ｍ６のそれぞれを矩形により模式的に示す。また、これらの矩形内には、対応する符号（Ｐ１乃至Ｐ１５、Ｍ１乃至Ｍ６）を示す。なお、図１１に示す縦軸は時間軸を示すが、この時間軸は模式的なものであり、各コンテンツの時間間隔を正確に示すものではない。
【０１０７】
ここで、図８に示すように、例えば、非日常行動期間抽出部１４０により非日常行動期間「２００９．１１．２１」が抽出される。この場合には、図９に示すように、非日常行動期間「２００９．１１．２１」において生成された画像コンテンツＰ３乃至Ｐ１４が抽出される。また、図１０に示すように、非日常行動期間「２００９．１１．２１」において再生された音楽コンテンツＭ２乃至Ｍ５が抽出される。
【０１０８】
そして、非日常行動コンテンツ生成部１５０は、このように抽出された画像コンテンツＰ３乃至Ｐ１４と、音楽コンテンツＭ２乃至Ｍ５とを１つのグループとして決定し、この決定された各コンテンツを関連付けて、これらに関する各情報を生成する。例えば、非日常行動コンテンツ生成部１５０は、時系列に従って画像コンテンツＰ３乃至Ｐ１４を再生させるための画像再生順序を決定し、図１０で示した優先順位に従って音楽コンテンツＭ２乃至Ｍ５を再生させるための音楽再生順序を決定する。そして、非日常行動コンテンツ生成部１５０は、決定された画像再生順序および音楽再生順序に基づいて、画像コンテンツおよび音楽コンテンツを再生されるためのプレイリスト情報を生成する。このプレイリスト情報は、画像コンテンツＰ３乃至Ｐ１４と、音楽コンテンツＭ２乃至Ｍ５とを関連付けて再生させるための情報である。また、非日常行動コンテンツ生成部１５０は、このように生成されたプレイリスト情報に、タイトル、代表画像および軌跡情報を関連付けて非日常行動コンテンツを生成する。このように生成された非日常行動コンテンツが、図１２に示すように非日常行動コンテンツ記憶部１６０に記憶される。
【０１０９】
［非日常行動コンテンツ情報記憶部の記憶例］
図１２は、本発明の第１の実施の形態における非日常行動コンテンツ記憶部１６０の記憶内容の一例を模式的に示す図である。非日常行動コンテンツ記憶部１６０には、非日常行動コンテンツ識別情報１６１と、タイトル１６２と、画像コンテンツリスト１６３と、代表画像１６４と、音楽コンテンツリスト１６５と、軌跡情報１６６とが記憶されている。
【０１１０】
非日常行動コンテンツ識別情報１６１には、非日常行動コンテンツ生成部１５０により生成された非日常行動コンテンツを識別するための識別情報が格納される。
【０１１１】
タイトル１６２には、非日常行動コンテンツ生成部１５０により生成された非日常行動コンテンツに付与されたタイトル（コンテンツ名称）が格納される。このタイトルは、例えば、ユーザの手動操作により付与することができる。例えば、ユーザの手動操作により「京都旅行」が入力されると、非日常行動コンテンツのタイトル１６２に「京都旅行」が格納される。また、生成された非日常行動コンテンツの内容に基づいて、タイトルを自動で付与するようにしてもよい。例えば、非日常行動コンテンツを構成する画像コンテンツに関連付けられている位置情報を用いて、画像コンテンツの生成位置に関する軌跡情報を生成する。この生成された軌跡情報により特定される軌跡（例えば、大阪府、京都府、兵庫県）のうち、最も距離の長い軌跡を含む地域（例えば、京都府）に関連する名称（例えば、京都府）をタイトルとして決定する。そして、その決定されたタイトルをその非日常行動コンテンツに付与することができる。
【０１１２】
画像コンテンツリスト１６３には、非日常行動コンテンツ生成部１５０により生成された非日常行動コンテンツを構成する画像コンテンツを再生するためのリスト（プレイリスト）が格納される。このリストとして、例えば、各画像コンテンツに付与されている識別情報（例えば、画像コンテンツ識別情報）が、非日常行動コンテンツ生成部１５０により決定された再生順序に関連付けて格納される。この画像コンテンツ識別情報は、各画像コンテンツに関連付けて画像管理情報記憶部２２０に記憶されている。
【０１１３】
代表画像１６４には、非日常行動コンテンツ生成部１５０により生成された非日常行動コンテンツの一覧を表示する際に、その非日常行動コンテンツを表す画像（代表画像）が格納される。代表画像として、例えば、時間軸における最前の画像コンテンツ（例えば、画像コンテンツＰ３）を用いることができる。なお、図１２では、代表画像Ｐ３を矩形により模式的に示す。
【０１１４】
音楽コンテンツリスト１６５には、非日常行動コンテンツ生成部１５０により生成された非日常行動コンテンツを構成する音楽コンテンツを再生するためのリスト（プレイリスト）が格納される。このリストは、例えば、各音楽コンテンツに付与されている識別情報（例えば、音楽コンテンツ情報）が、非日常行動コンテンツ生成部１５０により算出された再生頻度に関連付けて格納される。この音楽コンテンツ識別情報は、各音楽コンテンツに関連付けて音楽再生履歴情報記憶部２３０に記憶されている
【０１１５】
軌跡情報１６６には、非日常行動期間抽出部１４０により抽出された非日常行動期間内における位置情報（移動履歴情報記憶部２００の位置情報２０１）に基づいて特定される軌跡情報が格納されている。この軌跡情報として、例えば、非日常行動期間内における位置情報に基づいて特定される移動軌跡を、その移動軌跡を含む地域の地図上に重ねて生成される地図情報が格納される。この軌跡情報を用いて、例えば、図１４（ｃ）に示すように、非日常行動コンテンツに関する移動軌跡４５１を含む地図（地図表示領域４５０内の地図）を表示部１９０に表示させることができる。また、移動履歴情報記憶部２００の位置情報２０１に関連付けられている日時情報２０２を非日常行動期間抽出部１４０を介して取得し、この日時情報を、地図上における移動軌跡に関連付けて記憶しておくようにしてもよい。これにより、日時を特定することができるコンテンツを、地図上における移動軌跡に関連付けて表示させることができる。
【０１１６】
このように、非日常行動コンテンツ記憶部１６０に記憶されている非日常行動コンテンツ情報に基づいて、非日常行動コンテンツを再生させることができる。この再生例については、図１７、図１８等を参照して詳細に説明する。
【０１１７】
なお、以上では、非日常行動期間において再生された音楽コンテンツの再生頻度に基づいて、非日常行動コンテンツを構成する音楽コンテンツの優先順位を決定する例を示した。ただし、再生頻度以外の他の情報を用いて、音楽コンテンツの優先順位を決定するようにしてもよい。例えば、非日常行動期間において生成された画像コンテンツに含まれる被写体情報を用いて、優先順位を決定するようにしてもよい。例えば、画像コンテンツに含まれる人物の顔を検出し、この検出結果に基づいて音楽コンテンツの優先順位を決定するようにしてもよい。例えば、画像コンテンツから比較的多くの顔が検出された場合（例えば、１枚の静止画に複数の顔が含まれる場合）には、賑やかなアップテンポの曲を優先順位の上位として決定することができる。同様に、例えば、画像コンテンツから比較的多くの笑顔が検出された場合（例えば、１枚の静止画に複数の笑顔が含まれる場合）には、賑やかなアップテンポの曲を優先順位の上位として決定することができる。なお、画像コンテンツに含まれる顔の検出方法として、例えば、顔の輝度分布情報が記録されているテンプレートとコンテンツ画像とのマッチングによる顔検出方法（例えば、特開２００４−１３３６３７参照。）を用いることができる。また、撮像画像に含まれる肌色の部分や人間の顔の特徴量に基づいた顔検出方法を用いることができる。また、笑顔の検出方法として、例えば、顔画像における２点間の輝度の差分値を用いた弱判別器により顔の属性（笑顔）を検出する検出方法を用いることができる（例えば、特開２００９−１１８００９号参照。）。
【０１１８】
また、例えば、画像コンテンツから色情報を抽出し、この抽出された色情報に基づいて音楽コンテンツの優先順位を決定するようにしてもよい。例えば、対象となる画像コンテンツのうち、明るい色の画像コンテンツが多い場合には、アクティブな曲を優先順位の上位として決定することができる。また、対象となる画像コンテンツのうち、緑色の画像コンテンツが多い場合には、リラックスな曲を優先順位の上位となるように決定することができる。また、対象となる画像コンテンツのうち、白色や青系の色の画像コンテンツが多い場合には、静かな曲を優先順位の上位となるように決定することができる。
【０１１９】
［非日常行動コンテンツの生成時における表示例］
図１３乃至図１６は、本発明の第１の実施の形態における非日常行動コンテンツ生成部１５０により非日常行動コンテンツを生成する際における表示遷移例を示す図である。これらの表示例では、「非日常行動期間」を「お出かけの思い出期間」と称し、「非日常行動コンテンツ」を「お出かけの思い出コンテンツ」と称する例を示す。
【０１２０】
図１３（ａ）には、非日常行動コンテンツの生成を指示するための非日常行動コンテンツ生成指示画面４００を示す。非日常行動コンテンツ生成指示画面４００は、例えば、位置情報取得装置１０１、撮像装置１０２および音楽再生装置１０３のそれぞれの接続を情報処理装置１００が検出した場合に表示部１９０に表示される。
【０１２１】
非日常行動コンテンツ生成指示画面４００には、「はい」ボタン４０１および「いいえ」ボタン４０２が設けられている。「はい」ボタン４０１は、非日常行動コンテンツの生成を指示する際に押下されるボタンであり、「いいえ」ボタン４０２は、非日常行動コンテンツを生成しない場合に押下されるボタンである。例えば、非日常行動コンテンツ生成指示画面４００においてカーソル４０３を用いて「はい」ボタン４０１が押下されると、非日常行動期間抽出部１４０により非日常行動期間が抽出され、図１３（ｂ）に示す生成方法選択画面４０５が表示部１９０に表示される。
【０１２２】
図１３（ｂ）には、非日常行動コンテンツの生成方法を選択するための生成方法選択画面４０５を示す。生成方法選択画面４０５には、期間表示領域４０６と、「自動作成」ボタン４０７と、「マニュアル作成」ボタン４０８とが設けられている。
【０１２３】
期間表示領域４０６は、非日常行動期間抽出部１４０により抽出された非日常行動期間が表示される領域である。例えば、図８に示すように、「２００９．１１．２１」が非日常行動期間として抽出された場合には、期間表示領域４０６に「２００９／１１／２１→１１／２１」が表示される。また、非日常行動期間抽出部１４０により抽出された非日常行動期間が複数日である場合には、その期間が期間表示領域４０６に表示される。例えば、「２００９．１１．２１」乃至「２００９．１１．２３」が非日常行動期間として抽出された場合には、期間表示領域４０６に「２００９／１１／２１→１１／２３」が表示される。
【０１２４】
「自動作成」ボタン４０７は、非日常行動コンテンツの自動生成を指示する際に押下されるボタンである。例えば、生成方法選択画面４０５においてカーソル４０３を用いて「自動作成」ボタン４０７が押下されると、非日常行動コンテンツ生成部１５０による非日常行動コンテンツの生成が開始される。この場合には、期間表示領域４０６に表示されている非日常行動期間「２００９．１１．２１」において生成された画像コンテンツおよびその期間に再生された音楽コンテンツに関する非日常行動コンテンツが生成される。例えば、図１２の非日常行動コンテンツ識別情報１６１「ＮＥ０１」に対応する非日常行動コンテンツが生成される。なお、「自動作成」ボタン４０７が押下されると、非日常行動コンテンツの生成処理が終了するまでの間、図１３（ｃ）に示す生成経過通知画面４１０が表示部１９０に表示される。また、非日常行動コンテンツの生成処理が終了した場合にはその旨が表示部１９０に表示され、生成された非日常行動コンテンツが非日常行動コンテンツ記憶部１６０に記憶される。
【０１２５】
「マニュアル作成」ボタン４０８は、非日常行動コンテンツの手動操作による生成を指示する際に押下されるボタンである。例えば、生成方法選択画面４０５においてカーソル４０３を用いて「マニュアル作成」ボタン４０８が押下されると、図１４（ａ）に示すマニュアル設定項目選択画面４２０が表示部１９０に表示される。
【０１２６】
図１３（ｃ）には、非日常行動コンテンツの生成経過をユーザに通知するための生成経過通知画面４１０を示す。生成経過通知画面４１０には、生成経過情報表示領域４１１が設けられている。生成経過情報表示領域４１１は、非日常行動コンテンツ生成部１５０による非日常行動コンテンツの生成処理に関する進行状態を表す棒状の表示領域である。生成経過情報表示領域４１１において、非日常行動コンテンツの生成処理に関する進行状態に応じて、色が付された領域が左端部から右端部に拡大していく。
【０１２７】
図１４（ａ）には、非日常行動コンテンツを手動操作により生成する際における各項目を選択するためのマニュアル設定項目選択画面４２０を示す。マニュアル設定項目選択画面４２０には、「期間」ボタン４２１と、「画像」ボタン４２２と、「音楽」ボタン４２３と、「作成」ボタン４２４と、「戻る」ボタン４２５とが設けられている。
【０１２８】
「期間」ボタン４２１は、非日常行動期間抽出部１４０により抽出された非日常行動期間（すなわち、図１３（ｂ）に示す期間表示領域４０６に表示されている非日常行動期間）を修正する際に押下されるボタンである。マニュアル設定項目選択画面４２０においてカーソル４０３を用いて「期間」ボタン４２１が押下されると、図１４（ｂ）に示す期間修正画面４３０が表示部１９０に表示される。
【０１２９】
「画像」ボタン４２２は、非日常行動コンテンツを構成する画像コンテンツを手動操作により選択する際に押下されるボタンである。マニュアル設定項目選択画面４２０においてカーソル４０３を用いて「画像」ボタン４２２が押下されると、図１４（ｃ）に示す画像コンテンツ選択画面４４０が表示部１９０に表示される。
【０１３０】
「音楽」ボタン４２３は、非日常行動コンテンツを構成する音楽コンテンツを手動操作により選択する際に押下されるボタンである。マニュアル設定項目選択画面４２０においてカーソル４０３を用いて「音楽」ボタン４２３が押下されると、図１５（ａ）に示す選択方法指定画面４６０が表示部１９０に表示される。
【０１３１】
「作成」ボタン４２４は、手動操作により設定された設定内容に基づく非日常行動コンテンツの生成を指示する際に押下されるボタンである。例えば、マニュアル設定項目選択画面４２０においてカーソル４０３を用いて「作成」ボタン４２４が押下されると、非日常行動コンテンツ生成部１５０による非日常行動コンテンツの生成が開始される。この非日常行動コンテンツは、「期間」ボタン４２１、「画像」ボタン４２２および「音楽」ボタン４２３の押下後に設定された各内容に基づいて生成される。
【０１３２】
図１４（ｂ）には、非日常行動期間抽出部１４０により抽出された非日常行動期間を手動操作により修正するための期間修正画面４３０を示す。期間修正画面４３０には、期間修正領域４３１および４３２と、「決定」ボタン４３３と、「戻る」ボタン４３４とが設けられている。
【０１３３】
期間修正領域４３１および４３２は、非日常行動期間抽出部１４０により抽出された非日常行動期間（すなわち、図１３（ｂ）に示す期間表示領域４０６に表示されている非日常行動期間）の修正を行うためも領域である。例えば、初期状態では、期間修正領域４３１および４３２には、期間表示領域４０６に表示されていた非日常行動期間と同一の期間が表示される。例えば、図１３（ｂ）に示す期間表示領域４０６の「２００９／１１／２１→１１／２１」と同様に、期間修正領域４３１および４３２には「２００９／１１／２１」および「２００９／１１／２１」が表示される。そして、ユーザの手動操作により期間修正領域４３１および４３２に表示されている「２００９／１１／２１」および「２００９／１１／２１」の少なくとも一方を修正することができる。例えば、非日常行動期間を短縮するように修正してもよく、拡大するように修正してもよい。また、この修正は、１日単位で行うようにしてもよく、時間単位または分単位で修正するようにしてもよい。例えば、期間修正領域４３１および４３２に「２００９／１１／２１」および「２００９／１１／２３」が表示されている場合において、非日常行動期間の後半部分を１日短縮する場合を想定する。この場合には、手動操作による修正により、期間修正領域４３１および４３２に「２００９／１１／２１」および「２００９／１１／２２」が表示される。
【０１３４】
「決定」ボタン４３３は、ユーザにより修正された非日常行動期間を確定する場合に押下されるボタンである。期間修正画面４３０においてカーソル４０３を用いて「決定」ボタン４３３が押下されると、ユーザにより修正された非日常行動期間が確定し、図１４（ａ）に示すマニュアル設定項目選択画面４２０が表示部１９０に表示される。
【０１３５】
図１４（ｃ）には、非日常行動期間に生成された画像コンテンツを選択するための画像コンテンツ選択画面４４０を示す。画像コンテンツ選択画面４４０には、時間軸４４１と、矢印ボタン４４２および４４３と、軌跡対応ポイント４４４と、「決定」ボタン４４５と、「戻る」ボタン４４６と、地図表示領域４５０とが設けられている。
【０１３６】
時間軸４４１は、非日常行動期間（非日常行動期間抽出部１４０により抽出された非日常行動期間、または、期間修正画面４３０において修正された非日常行動期間）を表す時間軸である。時間軸４４１として、例えば、非日常行動期間のうちの全部または一部を表す時間軸が表示される。なお、非日常行動期間のうちの一部が表示されている場合には、矢印ボタン４４２および４４３を用いて他の期間を表示させることができる。また、表示されている時間軸４４１に沿って、非日常行動期間に生成された画像コンテンツＰ３乃至Ｐ８が表示される。
【０１３７】
軌跡対応ポイント（白抜きの丸で示す）４４４は、画像コンテンツの選択操作に応じて時間軸４４１上を移動するものである。例えば、カーソル４０３を用いて画像コンテンツの選択操作をしている場合には、カーソル４０３の移動に応じて、時間軸４４１上を軌跡対応ポイント４４４が移動する。また、時間軸４４１における軌跡対応ポイント４４４の位置と、地図表示領域４５０に表示されている地図上の移動軌跡４５１上におけるポイント（白抜きの丸で示す）４５２の位置（日時情報に基づく位置）とを対応させる。すなわち、軌跡対応ポイント４４４が時間軸４４１上を移動すると、この移動後の位置（日時情報に基づく位置）に、地図表示領域４５０に表示されている地図上の移動軌跡４５１上におけるポイント４５２が移動する。
【０１３８】
「決定」ボタン４４５は、ユーザにより選択された画像コンテンツを確定する場合に押下されるボタンである。画像コンテンツ選択画面４４０においてカーソル４０３を用いて「決定」ボタン４４５が押下されると、ユーザにより選択された画像コンテンツが確定し、図１４（ａ）に示すマニュアル設定項目選択画面４２０が表示部１９０に表示される。
【０１３９】
地図表示領域４５０は、非日常行動期間抽出部１４０により抽出された非日常行動期間内における位置情報に基づいて特定される移動軌跡４５１を含む地域の地図が表示される領域である。この移動軌跡４５１を含む地域の地図は、例えば、非日常行動コンテンツ記憶部１６０の軌跡情報１６６に基づいて表示される。なお、地図表示領域４５０には、表示対象となる地図の一部のみを表示させ、ユーザ操作により他の部分を表示させるようにしてもよい。
【０１４０】
移動軌跡４５１上におけるポイント４５２は、時間軸４４１における軌跡対応ポイント４４４の位置と同一となる移動軌跡４５１の位置に表示されるものである。すなわち、ポイント４５２は、軌跡対応ポイント４４４の移動に応じて、移動軌跡４５１上を移動する。
【０１４１】
ここで、画像コンテンツ選択画面４４０において、時間軸４４１に沿って表示されている画像コンテンツを選択する例を示す。例えば、画像コンテンツ選択画面４４０において、カーソル４０３を用いて所望の画像コンテンツを選択する選択操作を行う。例えば、カーソル４０３を用いて指定された領域を選択領域４４７（点線で示す矩形領域）とする。この場合には、選択領域４４７に一部が重なる画像コンテンツＰ５乃至Ｐ８が選択状態となる。図１４（ｃ）では、その選択状態とされた画像コンテンツＰ５乃至Ｐ８の枠を太線で示す。また、このように選択操作を行う場合には、その選択操作に係るカーソル４０３の移動に応じて、時間軸４４１における軌跡対応ポイント４４４と、移動軌跡４５１上におけるポイント４５２とが移動する。このため、ユーザは、各画像コンテンツの時間軸における位置関係および地理的位置関係を容易に把握することができる。このため、ユーザは好みの画像コンテンツを容易に選択することができる。
【０１４２】
図１５（ａ）には、非日常行動期間に生成された音楽コンテンツの選択方法を指定するための選択方法指定画面４６０を示す。選択方法指定画面４６０には、「候補から選択」ボタン４６１と、「プレイリストから選択」ボタン４６２と、「なし」ボタン４６３と、「戻る」ボタン４６４とが設けられている。
【０１４３】
「候補から選択」ボタン４６１は、時系列、優先順位、歌手名等の一定の規則に基づいて表示される候補のうちから、音楽コンテンツを選択する際に押下されるボタンである。例えば、選択方法指定画面４６０においてカーソル４０３を用いて「候補から選択」ボタン４６１が押下されると、図１５（ｂ）に示す音楽コンテンツ選択画面４７０が表示部１９０に表示される。
【０１４４】
「プレイリストから選択」ボタン４６２は、音楽プレイリスト等のプレイリスト情報を用いて音楽コンテンツを選択する場合に押下されるボタンである。
【０１４５】
「なし」ボタン４６３は、非日常行動コンテンツに音楽コンテンツを含めない場合に押下されるボタンである。すなわち、「なし」ボタン４６３が押下されると、画像コンテンツのみで構成される非日常行動コンテンツが生成される。
【０１４６】
図１５（ｂ）には、非日常行動期間に再生された音楽コンテンツを選択するための音楽コンテンツ選択画面４７０を示す。音楽コンテンツ選択画面４７０には、時間軸４７１と、矢印ボタン４７２および４７３と、軌跡対応ポイント４７４と、「時系列」ボタン４７５と、「推薦曲」ボタン４７６とが設けられている。また、音楽コンテンツ選択画面４７０には、「歌手名」ボタン４７７と、「アルバム」ボタン４７８と、「曲一覧」ボタン４７９と、「決定」ボタン４８０と、「戻る」ボタン４８１と、地図表示領域４８３とが設けられている。
【０１４７】
時間軸４７１は、非日常行動期間（非日常行動期間抽出部１４０により抽出された非日常行動期間、または、期間修正画面４３０において修正された非日常行動期間）を表す時間軸である。時間軸４７１として、例えば、非日常行動期間のうちの全部または一部を表す時間軸が表示される。なお、非日常行動期間のうちの一部が表示されている場合には、矢印ボタン４７２および４７３を用いて他の期間を表示させることができる。また、表示されている時間軸４７１に沿って、非日常行動期間に再生された音楽コンテンツＭ２乃至Ｍ４が表示される。なお、図１５（ｂ）では、優先順位として「１」、「２」、「４」等の数字を表示する例を示すが、他の方法により優先順位を表すようにしてもよい。例えば、数字の代わりに、星（☆）の数により優先順位を表すようにしてもよく、優先順位に対応する色により識別して優先順位を表すようにしてもよい。また、図１５（ｂ）では、音楽コンテンツを表す標識として、曲名および歌手名を表示する例を示すが、他の標識により音楽コンテンツを表すようにしてもよい。例えば、曲名および歌手名の代わりに、音楽コンテンツを表す写真（例えば、ジャケット写真）を表示させるようにしてもよい。また、図１６、図１８等に示す例についても、同様に、優先順位や音楽コンテンツを表示させることができる。
【０１４８】
軌跡対応ポイント（白抜きの丸で示す）４７４は、音楽コンテンツの選択操作に応じて時間軸４７１上を移動するものである。例えば、カーソル４０３を用いて音楽コンテンツの選択操作をしている場合には、カーソル４０３の移動に応じて、時間軸４７１上を軌跡対応ポイント４７４が移動する。また、時間軸４７１における軌跡対応ポイント４７４の位置と、地図表示領域４８３に表示されている地図上の移動軌跡４８４上におけるポイント（白抜きの丸で示す）４８５の位置（日時情報に基づく位置）とを対応させる。すなわち、軌跡対応ポイント４７４が時間軸４７１上を移動すると、この移動後の位置（日時情報に基づく位置）に、地図表示領域４８３に表示されている地図上の移動軌跡４８４上におけるポイント４８５が移動する。
【０１４９】
「時系列」ボタン４７５は、非日常行動期間において再生された音楽コンテンツを時系列で表示させる際に押下されるボタンである。すなわち、音楽コンテンツ選択画面４７０に他の選択画面が表示されている場合に、「時系列」ボタン４７５が押下されると、図１５（ｂ）に示す音楽コンテンツ選択画面４７０が表示される。
【０１５０】
「推薦曲」ボタン４７６は、非日常行動期間において再生された音楽コンテンツを、非日常行動コンテンツ記憶部１６０の再生頻度（図１２に示す音楽コンテンツリスト１６５）に従って表示させる際に押下されるボタンである。例えば、音楽コンテンツ選択画面４７０において、「推薦曲」ボタン４７６が押下されると、図１６に示す音楽コンテンツ選択画面４９０が表示される。
【０１５１】
「歌手名」ボタン４７７は、非日常行動期間において再生された音楽コンテンツを歌手名毎（例えば、辞書順）に表示させる際に押下されるボタンである。
【０１５２】
「アルバム」ボタン４７８は、非日常行動期間において再生された音楽コンテンツを、その音楽コンテンツが属するアルバム毎（例えば、アルバムのタイトル順（辞書順））に表示させる際に押下されるボタンである。
【０１５３】
「曲一覧」ボタン４７９は、非日常行動期間において再生された音楽コンテンツを曲名毎（例えば、辞書順）に表示させる際に押下されるボタンである。
【０１５４】
「決定」ボタン４８０は、ユーザにより選択された音楽コンテンツを確定する場合に押下されるボタンである。音楽コンテンツ選択画面４７０においてカーソル４０３を用いて「決定」ボタン４８０が押下されると、ユーザにより選択された音楽コンテンツが確定し、図１４（ａ）に示すマニュアル設定項目選択画面４２０が表示部１９０に表示される。
【０１５５】
地図表示領域４８３は、非日常行動期間抽出部１４０により抽出された非日常行動期間内における位置情報に基づいて特定される移動軌跡４８４を含む地域の地図が表示される領域である。この移動軌跡４８４を含む地域の地図は、例えば、非日常行動コンテンツ記憶部１６０の軌跡情報１６６に基づいて表示される。なお、地図表示領域４８３には、表示対象となる地図の一部のみを表示させ、ユーザ操作により他の部分を表示させるようにしてもよい。
【０１５６】
移動軌跡４８４上におけるポイント４８５は、時間軸４７１における軌跡対応ポイント４７４の位置と同一となる移動軌跡４８４の位置に表示されるものである。すなわち、ポイント４８５は、軌跡対応ポイント４７４の移動に応じて、移動軌跡４８４上を移動する。
【０１５７】
ここで、音楽コンテンツ選択画面４７０において、時間軸４７１に沿って表示されている音楽コンテンツを選択する例を示す。例えば、音楽コンテンツ選択画面４７０において、カーソル４０３を用いて所望の音楽コンテンツを選択する選択操作を行う。例えば、カーソル４０３を用いて指定された領域を選択領域４８２（点線で示す矩形領域）とする。この場合には、選択領域４８２に一部が重なる音楽コンテンツが選択状態となる。図１５（ｂ）では、その選択状態とされた音楽コンテンツの枠を太線で示す。また、このように選択操作を行う場合には、その選択操作に係るカーソル４０３の移動に応じて、時間軸４７１における軌跡対応ポイント４７４と、移動軌跡４８４上におけるポイント４８５とが移動する。このため、ユーザは、各音楽コンテンツの時間軸における位置関係および地理的位置関係を容易に把握することができる。このため、ユーザは好みの音楽コンテンツを容易に選択することができる。
【０１５８】
図１６には、非日常行動期間に再生された音楽コンテンツを選択するための音楽コンテンツ選択画面４９０を示す。音楽コンテンツ選択画面４９０は、図１５（ｂ）に示す音楽コンテンツ選択画面４７０の一部を変形したものであり、音楽コンテンツの一覧表示と、地図表示領域４８３における各音楽コンテンツの位置を表す表示方法とが音楽コンテンツ選択画面４７０とは異なる。このため、音楽コンテンツ選択画面４７０と共通する部分については、同一の符号を付してこれらの説明を省略する。
【０１５９】
音楽コンテンツ選択画面４９０には、優先順位４９１と、曲名４９２と、歌手名４９３と、軌跡標識４９４とが設けられている。
【０１６０】
優先順位４９１には、非日常行動コンテンツ記憶部１６０の再生頻度（図１２に示す音楽コンテンツリスト１６５）に格納されている値に基づいて優先順位が表示される。
【０１６１】
歌手名４９３には、優先順位４９１に対応する音楽コンテンツ識別情報に基づいて、音楽コンテンツに対応する歌手名が表示される。
【０１６２】
曲名４９２には、優先順位４９１に対応する音楽コンテンツ識別情報に基づいて、音楽コンテンツに対応する曲名が表示される。
【０１６３】
軌跡標識４９４には、地図表示領域４８３における移動軌跡４８４上に表示される音楽コンテンツの再生位置を表す標識が表示される。
【０１６４】
また、地図表示領域４８３には、非日常行動期間抽出部１４０により抽出された非日常行動期間内における位置情報に基づいて特定される移動軌跡４８４を含む地域の地図が表示される。また、移動軌跡４８４には、軌跡標識４９４に表示されている移動標識（例えば□、○、△）が、音楽コンテンツの日時情報に基づいて配置される。
【０１６５】
このように、日常生活領域以外の範囲外の領域でユーザが行動している期間（非日常行動期間）を抽出し、この非日常行動期間において生成された画像コンテンツおよび聴いた音楽コンテンツを１つのグループとして決定する。そして、このグループに属する各コンテンツをユーザの好みに応じて容易に用いることができる。このため、例えば、旅行に行った際における旅行プレイリストを生成する場合に、その生成をする際におけるユーザの編集負荷を軽減することができる。また、例えば、１つのグループとして決定された画像コンテンツおよび音楽コンテンツに関するスライドショーを生成する場合には、再生対象となる画像コンテンツに、これと関連性の深い音楽コンテンツを容易に関連付けることができる。これにより、付加価値の高いコンテンツを容易に生成することができる。また、このように容易に付加価値の高いコンテンツを生成することができるため、映像および音楽により構成されるコンテンツを気軽に楽しむことができる。
【０１６６】
［非日常生活コンテンツの再生時における表示遷移例］
図１７および図１８は、本発明の第１の実施の形態における音声出力部１８０および表示部１９０の出力対象となるコンテンツを選択する際における表示遷移例を示す図である。
【０１６７】
図１７（ａ）には、再生対象となる非日常行動コンテンツを選択するための非日常行動コンテンツ選択画面５２０を示す。非日常行動コンテンツ選択画面５２０には、非日常行動コンテンツ一覧表示領域５２１と、「決定」ボタン５２２と、「戻る」ボタン５２３と、スクロールバー５２４と、上下スクロールボタン５２５および５２６とが設けられている。
【０１６８】
非日常行動コンテンツ一覧表示領域５２１は、再生対象となる非日常行動コンテンツを表す画像が一覧表示される領域である。例えば、非日常行動コンテンツ一覧表示領域５２１には、非日常行動コンテンツ記憶部１６０の代表画像１６４（図１２に示す）に格納されている代表画像が一覧表示される。また、例えば、スクロールバー５２４、上下スクロールボタン５２５および５２６を用いることにより、他の代表画像を表示させることができる。
【０１６９】
「決定」ボタン５２２は、ユーザにより選択された非日常行動コンテンツを確定する場合に押下されるボタンである。非日常行動コンテンツ選択画面５２０においてカーソル５２７を用いて「決定」ボタン５２２が押下されると、ユーザにより選択された非日常行動コンテンツが確定し、図１７（ｂ）に示す画像コンテンツ選択画面５３０が表示部１９０に表示される。なお、図１７（ｂ）では、非日常行動コンテンツ一覧表示領域５２１の「○○登山」に対応する非日常行動コンテンツが選択された場合を示す。
【０１７０】
図１７（ｂ）には、非日常行動コンテンツを構成する各画像コンテンツから、再生対象となる画像コンテンツを選択するための画像コンテンツ選択画面５３０を示す。画像コンテンツ選択画面５３０には、画像コンテンツ一覧表示領域５３１と、「時系列で再生」ボタン５３２と、「決定」ボタン５３３と、「戻る」ボタン５３４と、スクロールバー５３５と、上下スクロールボタン５３６および５３７とが設けられている。
【０１７１】
画像コンテンツ一覧表示領域５３１は、再生対象となる画像コンテンツを表す画像が一覧表示される領域である。例えば、画像コンテンツ一覧表示領域５３１には、選択された非日常行動コンテンツを構成する各画像コンテンツのサムネイル画像が一覧表示される。また、例えば、スクロールバー５３５、上下スクロールボタン５３６および５３７を用いることにより、他のサムネイル画像を表示させることができる。
【０１７２】
「時系列で再生」ボタン５３２は、選択された非日常行動コンテンツを構成する各画像コンテンツを時系列で再生させる際に押下されるボタンである。例えば、画像コンテンツ選択画面５３０においてカーソル５２７を用いて「時系列で再生」ボタン５３２が押下されると、非日常行動コンテンツ記憶部１６０の再生順序（図１２に示す画像コンテンツリスト１６３）に従って画像コンテンツが再生される。
【０１７３】
「決定」ボタン５３３は、ユーザにより選択された画像コンテンツを確定する場合に押下されるボタンである。画像コンテンツ選択画面５３０においてカーソル５２７を用いて「決定」ボタン５２２が押下されると、ユーザにより選択された１または複数の画像コンテンツが確定し、図１８（ｂ）に示す音楽コンテンツ選択画面５４０が表示部１９０に表示される。
【０１７４】
図１８（ａ）では、画像コンテンツ一覧表示領域５３１の「０００１．ｊｐｇ」、「０００５．ｊｐｇ」、「０００８．ｊｐｇ」に対応する画像コンテンツが選択された場合における表示例を示す。なお、図１８では、選択状態とされた画像コンテンツを表す画像については、その枠を太線で示す。
【０１７５】
図１８（ｂ）には、非日常行動コンテンツを構成する各音楽コンテンツから、再生対象となる音楽コンテンツを選択するための音楽コンテンツ選択画面５４０を示す。音楽コンテンツ選択画面５４０は、優先順位５４１と、曲名５４２と、歌手名５４３と、「優先順位に従って聴く」ボタン５４４と、「再生開始」ボタン５４５と、「戻る」ボタン５４６とが設けられている
【０１７６】
優先順位５４１には、選択された非日常行動コンテンツに関連付けて非日常行動コンテンツ記憶部１６０の再生頻度（図１２に示す音楽コンテンツリスト１６５）に格納されている値に基づいて優先順位が表示される。
【０１７７】
曲名５４２には、優先順位５４１に対応する音楽コンテンツ識別情報に基づいて、音楽コンテンツに対応する曲名が表示される。
【０１７８】
歌手名５４３には、優先順位５４１に対応する音楽コンテンツ識別情報に基づいて、音楽コンテンツに対応する歌手名が表示される。
【０１７９】
なお、優先順位５４１、曲名５４２および歌手名５４３に表示される音楽コンテンツの数が多い場合には、例えば、スクロールバー５４７、上下スクロールボタン５４８および５４９を用いることにより、他の音楽コンテンツを表示させることができる。
【０１８０】
「優先順位に従って聴く」ボタン５４４は、選択された非日常行動コンテンツを構成する各音楽コンテンツを優先順位に従って再生させる際に押下されるボタンである。例えば、音楽コンテンツ選択画面５４０においてカーソル５２７を用いて「優先順位に従って聴く」ボタン５４４が押下されると、非日常行動コンテンツ記憶部１６０の再生頻度（図１２に示す音楽コンテンツリスト１６５）に従って音楽コンテンツが再生される。すなわち、音楽コンテンツ選択画面５４０に表示されている優先順位５４１に従って、音楽コンテンツが再生される。
【０１８１】
「再生開始」ボタン５４５は、ユーザにより選択された音楽コンテンツを確定する場合に押下されるボタンである。音楽コンテンツ選択画面５４０においてカーソル５２７を用いて「再生開始」ボタン５４５が押下されると、ユーザにより選択された１または複数の音楽コンテンツが確定する。そして、画像コンテンツ選択画面５３０において選択された画像コンテンツと、音楽コンテンツ選択画面５４０において選択された音楽コンテンツとの再生が開始される。なお、ユーザにより複数の音楽コンテンツが選択された場合には、この選択された音楽コンテンツを優先順位の上位のものから順次再生させるようにしてもよく、その再生順序をユーザ選択により決定するようにしてもよい。また、音楽コンテンツの再生時間が長い場合には、そのサビの部分のみを順次再生させるようにしてもよい。
【０１８２】
ここで、例えば、過去に聴いた音楽が流れている場合に、その音楽を聴いた当時の様子等を思い出すことがある。このように、音楽は、人間の記憶に密接な関わりを持っていることが広く知られている。そこで、例えば、ある旅行で頻繁に聴いた音楽を聴きながら、その旅行で撮影された画像を見ることにより、その画像に対する興味をさらに高めて見ることができると考えられる。
【０１８３】
例えば、非日常行動コンテンツ選択画面５２０において選択された「○○登山」に対応する非日常行動コンテンツは、例えば、比較的容易に登ることができる○○山に数人で登山に行った場合における各コンテンツにより構成されるものとする。この場合に、例えば、○○登山で自分を励ましながら聴いた「最後まで富士山（優先順位１位）」を、その○○登山で撮影された画像コンテンツの再生時に再生させることができる。また、例えば、○○登山の途中で空腹時に聴いた「りんごの歌（優先順位２位）」や「たまねぎ王国（優先順位３位）」を、その○○登山で撮影された画像コンテンツの再生時に再生させることができる。このように画像コンテンツおよび音楽コンテンツを再生することにより、苦しかった○○登山のことを思い出し、その画像コンテンツの再生をさらに楽しむことができる。
【０１８４】
なお、図１７および図１８では、非日常生活コンテンツを再生する場合における表示遷移例を示したが、これらの各表示画面を用いて、スライドショーを生成するようにしてもよい。これにより、付加価値の高いコンテンツを容易に生成することができ、映像および音楽により構成されるコンテンツを気軽に楽しむことができる。なお、図１９および図２０では、非日常行動コンテンツ（例えば、スライドショー）を生成する場合における他の表示遷移例を示す。
【０１８５】
［非日常行動コンテンツの再生時における表示遷移例］
図１９および図２０は、本発明の第１の実施の形態における非日常行動コンテンツ生成部１５０により非日常行動コンテンツを生成する際における表示遷移例を示す図である。この例では、撮像装置１０２の画像コンテンツ記憶部２１０に記憶されている画像コンテンツを情報処理装置１００が取得して記憶している場合における表示遷移例を示す。
【０１８６】
図１９には、フォルダ「佐野塩」５０１に属する画像コンテンツを用いて非日常行動コンテンツを生成する場合における表示遷移例を示す。図１９（ａ）に示す表示画面５００には、フォルダ「佐野塩」５０１を表示するフォルダ表示領域と、画像コンテンツ一覧表示領域５０２とが設けられている。なお、図１９（ａ）に示す例では、フォルダ「佐野塩」５０１に属する画像コンテンツが画像コンテンツ一覧表示領域５０２に一覧表示されている例を示す。
【０１８７】
表示画面５００には、例えば、ユーザ操作（または、各装置の接続を検出した場合）により非日常行動コンテンツ生成指示画面５０３が表示される。この非日常行動コンテンツ生成指示画面５０３は、図１３（ａ）に示す非日常行動コンテンツ生成指示画面４００と同一であるため、ここでの説明を省略する。そして、非日常行動コンテンツ生成指示画面５０３においてカーソル５０４を用いて「はい」ボタンが押下されると、上述したように、非日常行動コンテンツが生成される。
【０１８８】
図１９（ｂ）には、非日常行動コンテンツの生成が終了した場合における表示例（表示画面５０５）を示す。例えば、非日常行動コンテンツの生成が終了した場合には、表示画面５０５に非日常行動コンテンツ生成終了通知画面５０６が表示される。そして、このように生成された非日常行動コンテンツを構成する各画像コンテンツのうち、最も識別番号が小さい画像コンテンツが属するフォルダ（例えば、フォルダ「佐野塩」５０１）に、非日常行動コンテンツが格納される。この場合に、画像コンテンツ一覧表示領域５０２には、生成された非日常行動コンテンツを表す代表画像５０７が、フォルダ「佐野塩」５０１に属する画像コンテンツとして表示される。この代表画像５０７には、非日常行動コンテンツ（スライドショー）である旨を示す標識５０８が重ねて表示される。
【０１８９】
図２０には、日付フォルダ「１１月」５１１に属する画像コンテンツを用いて非日常行動コンテンツを生成する場合における表示遷移例を示す。図２０（ａ）に示す表示画面５１０には、日付フォルダを表示するフォルダ表示領域と、画像コンテンツ一覧表示領域５１２とが設けられている。なお、図２０（ａ）に示す例では、日付フォルダ「１１月」５１１に属する画像コンテンツが画像コンテンツ一覧表示領域５１２に時系列で一覧表示されている例を示す。なお、非日常行動コンテンツ生成指示画面５１３の表示および非日常行動コンテンツの生成指示については、図１９（ａ）に示す例と同様であるため、ここでの説明を省略する。
【０１９０】
図２０（ｂ）には、非日常行動コンテンツの生成が終了した場合における表示例（表示画面５１５）を示す。図１９（ｂ）と同様に、例えば、非日常行動コンテンツの生成が終了した場合には、表示画面５１５に非日常行動コンテンツ生成終了通知画面５１６が表示される。そして、このように生成された非日常行動コンテンツを構成する各画像コンテンツのうち、最も日付の古い画像コンテンツが属するフォルダ（例えば、日付フォルダ「１１月」５１１）に、非日常行動コンテンツが格納される。この場合に、画像コンテンツ一覧表示領域５１２には、生成された非日常行動コンテンツを表す代表画像５１７が、日付フォルダ「１１月」５１１に属する画像コンテンツとして時系列で表示される。この代表画像５１７には、非日常行動コンテンツ（スライドショー）である旨を示す標識５１８が重ねて表示される。
【０１９１】
［情報処理装置の動作例］
図２１は、本発明の第１の実施の形態における情報処理装置１００による日常生活領域登録処理の処理手順の一例を示すフローチャートである。
【０１９２】
最初に、日常生活領域を登録するための登録指示操作が行われたか否かが判断される（ステップＳ９０１）。その登録指示操作が行われていな場合には（ステップＳ９０１）、その監視を継続する。一方、その登録指示操作が行われた場合には（ステップＳ９０１）、コンテンツ出力制御部１７０が、その操作入力に応じて日常生活領域登録画面を表示部１９０に表示させる（ステップＳ９０２）。
【０１９３】
続いて、日常生活領域登録画面において、領域の指定操作が行われたか否かが判断される（ステップＳ９０３）。領域の指定操作が行われた場合には（ステップＳ９０３）、指定された領域が日常生活領域として表示され（ステップＳ９０４）、決定操作が行われたか否かが判断される（ステップＳ９０５）。なお、領域の指定操作が行われていない場合（ステップＳ９０３）、または、決定操作が行われていない場合には（ステップＳ９０５）、ステップＳ９０３に戻る。
【０１９４】
続いて、指定された領域が日常生活領域として表示されている状態で、決定操作が行われた場合には（ステップＳ９０５）、日常生活領域登録部１２０が、指定された各領域により特定される日常生活領域を登録する（ステップＳ９０６）。
【０１９５】
図２２は、本発明の第１の実施の形態における情報処理装置１００による非日常行動コンテンツ生成処理の処理手順の一例を示すフローチャートである。
【０１９６】
最初に、非日常行動コンテンツの生成指示操作が行われたか否かが判断される（ステップＳ９１１）。その生成指示操作が行われていな場合には（ステップＳ９１１）、その監視を継続する。一方、その生成指示操作が行われた場合には（ステップＳ９１１）、非日常行動期間抽出部１４０が移動履歴情報を取得し、この取得された移動履歴情報について日常生活領域の範囲外となる緯度および経度を抽出する（ステップＳ９１２）。なお、ステップＳ９１２は、特許請求の範囲に記載の取得手順の一例である。
【０１９７】
続いて、取得された移動履歴情報に、日常生活領域の範囲外となる緯度および経度が存在するか否かが判断される（ステップＳ９１３）。取得された移動履歴情報に、日常生活領域の範囲外となる緯度および経度が存在しない場合には（ステップＳ９１３）、非日常行動コンテンツ生成処理の動作を終了する。
【０１９８】
一方、取得された移動履歴情報に、日常生活領域の範囲外となる緯度および経度が存在する場合には（ステップＳ９１３）、非日常行動期間抽出部１４０が、抽出された緯度および経度に対応する日時情報に基づいて非日常行動期間を抽出する（ステップＳ９１４）。なお、ステップＳ９１２乃至Ｓ９１４は、特許請求の範囲に記載の期間抽出手順の一例である。続いて、コンテンツ関連付処理が行われる（ステップＳ９２０）。このコンテンツ関連付処理については、図２３を参照して詳細に説明する。なお、ステップＳ９２０は、特許請求の範囲に記載の決定手順の一例である。
【０１９９】
図２３は、本発明の第１の実施の形態における情報処理装置１００による非日常行動コンテンツ生成処理の処理手順のうちのコンテンツ関連付処理（図２２に示すステップＳ９２０の処理手順）の一例を示すフローチャートである。
【０２００】
最初に、抽出された非日常行動期間において生成された画像コンテンツが存在するか否かが判断される（ステップＳ９２１）。抽出された非日常行動期間において生成された画像コンテンツが存在しない場合には（ステップＳ９２１）、コンテンツ関連付処理の動作を終了する。
【０２０１】
一方、抽出された非日常行動期間において生成された画像コンテンツが存在する場合には（ステップＳ９２１）、非日常行動コンテンツ生成部１５０が、抽出された非日常行動期間において生成された画像コンテンツを抽出する（ステップＳ９２２）。続いて、抽出された非日常行動期間において再生された音楽コンテンツが存在するか否かが判断される（ステップＳ９２３）。抽出された非日常行動期間において再生された音楽コンテンツが存在する場合には（ステップＳ９２３）、非日常行動コンテンツ生成部１５０が、抽出された非日常行動期間において再生された音楽コンテンツを抽出する（ステップＳ９２４）。
【０２０２】
続いて、非日常行動コンテンツ生成部１５０が、抽出された音楽コンテンツの非日常行動期間における再生頻度を算出する（ステップＳ９２５）。続いて、非日常行動コンテンツ生成部１５０が、抽出された画像コンテンツおよび音楽コンテンツをその算出された再生頻度を用いて関連付けて非日常行動コンテンツを生成する（ステップＳ９２６）。
【０２０３】
また、抽出された非日常行動期間において再生された音楽コンテンツが存在しない場合には（ステップＳ９２３）、非日常行動コンテンツ生成部１５０が、抽出された画像コンテンツを関連付けて非日常行動コンテンツを生成する（ステップＳ９２７）。
【０２０４】
続いて、非日常行動コンテンツ生成部１５０が、生成された非日常行動コンテンツを非日常行動コンテンツ記憶部１６０に記録させる（ステップＳ９２８）。
【０２０５】
図２４は、本発明の第１の実施の形態における情報処理装置１００による非日常行動コンテンツ出力制御処理の処理手順の一例を示すフローチャートである。
【０２０６】
最初に、非日常行動コンテンツの出力指示操作が行われたか否かが判断される（ステップＳ９３１）。その出力指示操作が行われていな場合には（ステップＳ９３１）、その監視を継続する。一方、その出力指示操作が行われた場合には（ステップＳ９３１）、コンテンツ出力制御部１７０が、非日常行動コンテンツ記憶部１６０の非日常行動コンテンツ情報に基づいて非日常行動コンテンツの代表画像を表示部１９０に一覧表示させる（ステップＳ９３２）。
【０２０７】
続いて、表示部１９０に表示されている非日常行動コンテンツの代表画像について、選択操作が行われたか否かが判断される（ステップＳ９３３）。その選択操作が行われていな場合には（ステップＳ９３３）、その監視を継続する。一方、その選択操作が行われた場合には（ステップＳ９３３）、コンテンツ出力制御部１７０が、選択された代表画像に対応する非日常行動コンテンツを構成する画像コンテンツを表す画像を表示部１９０に一覧表示させる（ステップＳ９３２）。
【０２０８】
続いて、表示部１９０に表示されている画像（画像コンテンツ）について、選択操作が行われたか否かが判断される（ステップＳ９３５）。その選択操作が行われた場合には（ステップＳ９３５）、コンテンツ出力制御部１７０が、選択された画像に関連付けられている音楽コンテンツを表す画像を再生頻度に従って表示部１９０に一覧表示させる（ステップＳ９３６）。一方、その選択操作が行われていない場合には（ステップＳ９３５）、戻る操作が行われたか否かが判断され（ステップＳ９４１）、戻る操作が行われた場合には、ステップＳ９３２に戻る。なお、戻る操作が行われていない場合には（ステップＳ９４１）、ステップＳ９３５に戻る。
【０２０９】
続いて、表示部１９０に表示されている画像（音楽コンテンツ）について、選択操作が行われたか否かが判断される（ステップＳ９３７）。その選択操作が行われた場合には（ステップＳ９３７）、コンテンツ出力制御部１７０が、選択された画像に対応する音楽コンテンツの優先順位を上位に設定し（ステップＳ９３８）、ステップＳ９３９に進む。その選択操作が行われていない場合には（ステップＳ９３７）、表示部１９０に表示されている画像（音楽コンテンツ）に対応する非日常行動コンテンツの再生指示操作が行われたか否かが判断される（ステップＳ９３９）。その再生指示操作が行われた場合には（ステップＳ９３９）、コンテンツ出力制御部１７０が、選択された画像コンテンツおよび音楽コンテンツを同時に再生させる。この再生では、例えば、選択された画像コンテンツが順次表示され、この画像コンテンツに関連付けられている音楽コンテンツが、設定された優先順位に従って音声出力される。一方、その再生指示操作が行われていない場合には（ステップＳ９３９）、戻る操作が行われたか否かが判断され（ステップＳ９４２）、戻る操作が行われた場合には、ステップＳ９３４に戻る。なお、戻る操作が行われていない場合には（ステップＳ９４２）、ステップＳ９３７に戻る。
【０２１０】
＜２．第２の実施の形態＞
本発明の第１の実施の形態では、非日常行動期間に含まれる画像コンテンツおよび音楽コンテンツを関連付ける例について説明した。ここで、例えば、非日常行動期間が長い場合（長期旅行）には、その期間に含まれる画像コンテンツおよび音楽コンテンツであっても互いの関連性が低い場合も想定される。例えば、１乃至２日目には大人数で海に行き、３乃至５日目には個人的に登山をしたような旅行では、１乃至２日目に撮影された画像コンテンツと、３乃至５日目に撮影された画像コンテンツとは、全く異なる雰囲気となることが想定される。また、大人数で海にいる場合と、個人的に登山をしている場合とでは、ユーザ自身の感情も異なり、聴きたい曲も全く異なることが想定される。そこで、本発明の第２の実施の形態では、非日常行動期間において、関連性の深いコンテンツ同士を関連付けて記録する例について説明する。なお、本発明の第２の実施の形態における情報処理システムの構成については、本発明の第１の実施の形態と略同様である。このため、以下では、本発明の第１の実施の形態と共通する部分についての説明を一部省略し、異なる部分を中心に説明する。
【０２１１】
［非日常行動コンテンツの生成例］
図２５乃至図２９は、本発明の第２の実施の形態における非日常行動コンテンツ生成部１５０による非日常行動コンテンツの生成方法を模式的に示す図である。図２５乃至図２９（ａ）には、撮像装置１０２により生成された画像コンテンツ（例えば、図２５（ａ）に示すＰ２１乃至Ｐ２８）を、各画像コンテンツに関連付けて記録されている日時情報に基づいて時系列で並べて示す。また、図２５乃至図２９（ｂ）には、音楽再生装置１０３により再生された音楽コンテンツ（例えば、図２５（ｂ）に示すＭ２１乃至Ｍ２６）を、その再生履歴として各音楽コンテンツに関連付けて記録されている履歴情報に基づいて時系列で並べて示す。
【０２１２】
また、図１１と同様に、図２５乃至図２９では、説明の容易のため、各画像コンテンツおよび各音楽コンテンツを矩形により模式的に示す。また、これらの矩形内には、対応する符号（例えば、図２５に示すＰ２１乃至Ｐ２８、Ｍ２１乃至Ｍ２６）を示す。なお、図２５乃至図２９に示す縦軸は時間軸を示すが、この時間軸は模式的なものであり、各コンテンツの時間間隔を正確に示すものではない。
【０２１３】
図２５には、画像コンテンツＰ２１乃至Ｐ２８と、音楽コンテンツＭ２１乃至Ｍ２６とを時系列で並べて示す。なお、図２５に示す例では、非日常行動期間抽出部１４０により非日常行動期間ＮＬ１が抽出されているものとする。この場合には、非日常行動期間ＮＬ１において生成された画像コンテンツＰ２３乃至Ｐ２７が抽出される。また、非日常行動期間ＮＬ１において再生された音楽コンテンツＭ２２乃至Ｍ２５が抽出される。
【０２１４】
ここで、非日常行動コンテンツ生成部１５０は、非日常行動期間において所定時間（例えば、１時間）内に所定数（例えば、３枚）以上の画像コンテンツが生成された期間（一定条件期間）が存在するか否かを判断する。すなわち、一定条件期間は、非日常行動期間において画像コンテンツの生成頻度が一定条件を満たす期間である。
【０２１５】
例えば、非日常行動期間ＮＬ１において、所定時間（例えば、１時間）内に所定数（例えば、３枚）以上の画像コンテンツが生成された期間（一定条件期間）ＤＰ１が存在するものとする。この期間ＤＰ１において、画像コンテンツＰ２４乃至Ｐ２６（点線の矩形により囲まれている画像群６０１）が生成されたものとする。この場合に、非日常行動コンテンツ生成部１５０は、期間ＤＰ１よりも前の時間帯で生成された画像コンテンツのうち、時間軸において最後に生成された画像コンテンツＰ２３を特定する。そして、非日常行動コンテンツ生成部１５０は、画像コンテンツＰ２３の生成時から期間ＤＰ１の終了時までの期間ＰＯ１（ＰＯ１＝ＢＰ１＋ＤＰ１）において再生された音楽コンテンツＭ２３およびＭ２４を特定する。そして、非日常行動コンテンツ生成部１５０は、期間ＰＯ１内における音楽コンテンツＭ２３およびＭ２４の再生頻度（再生回数）に基づいて優先順位を決定する。例えば、音楽コンテンツＭ２３の再生回数が２回であり、音楽コンテンツＭ２４の再生回数が１回であるため、優先順位の１位としてＭ２３が決定され、優先順位の２位としてＭ２４が決定される。なお、図２５（ｂ）では、優先順位の１位に決定された音楽コンテンツＭ２３を音楽群６０２（点線の矩形により囲まれている音楽コンテンツ）として示す。
【０２１６】
そして、非日常行動コンテンツ生成部１５０は、画像群６０１に属する画像コンテンツＰ２４乃至Ｐ２６を、期間ＰＯ１内における音楽コンテンツＭ２３およびＭ２４の優先順位に基づいて関連付ける。例えば、矢印６０３に示すように、画像群６０１に属する画像コンテンツＰ２４乃至Ｐ２６と、優先順位１位の音楽コンテンツＭ２３（音楽群６０２に属する）とを関連付けることができる。なお、この例では、画像群と、優先順位１位の音楽コンテンツとを関連付ける例を示すが、優先順位が上位の複数の音楽コンテンツを画像群と関連付けるようにしてもよい。
【０２１７】
ここで、例えば、旅行に行った場合には、点在する観光名所等において頻繁に撮影が行われることが多い。また、これらの各観光名所に移動する場合には、バスや自動車等の交通機関を利用することが多い。このように、各観光名所間における移動時間と、その観光名所における滞在時間とは、一定の規則があると考えられる。また、観光名所に行くまでの移動時間と、その観光名所における滞在時間とは、ユーザの感覚として密接な関連性があると考えられる。そこで、本発明の第２の実施の形態では、所定時間内に所定数以上の画像コンテンツが生成された期間（一定条件期間）と、これ以前の所定期間とを、画像コンテンツおよび音楽コンテンツが関連する期間として決定する。そして、その所定期間内における音楽コンテンツの再生頻度を用いて、画像コンテンツおよび音楽コンテンツの関連付けを行う。これにより、非日常行動期間内において、特にユーザに関心の高い画像コンテンツおよび音楽コンテンツを関連付けることができる。
【０２１８】
また、このようにユーザに関心の高い音楽コンテンツについては、他の時間帯に生成された他の画像コンテンツに関連付けることにより、ユーザにとって興味のある音楽コンテンツを提供することができると想定される。この例を図２６に示す。
【０２１９】
図２６には、画像コンテンツＰ３１乃至Ｐ４３と、音楽コンテンツＭ３１乃至Ｍ３７とを時系列で並べて示す。この例では、ユーザにとって関心が高いと想定される音楽コンテンツを１日単位で画像コンテンツに関連付ける例を示す。なお、図２６に示す例では、非日常行動期間抽出部１４０により非日常行動期間ＮＬ２が抽出されているものとする。また、非日常行動期間ＮＬ２において生成された画像コンテンツＰ３１乃至Ｐ４３が抽出され、非日常行動期間ＮＬ２において再生された音楽コンテンツＭ３１乃至Ｍ３７が抽出される。
【０２２０】
また、非日常行動期間ＮＬ２には、複数の日付が含まれているものとし、そのうちの１日を期間ＳＤ１とする。この場合には、期間ＳＤ１において生成された画像コンテンツＰ３３乃至Ｐ４２が特定され、期間ＳＤ１において再生された音楽コンテンツＭ３２乃至Ｍ３６が特定される。
【０２２１】
また、期間ＳＤ１には、所定時間内に所定数以上の画像コンテンツが生成された２つの期間（一定条件期間）が存在するものとし、これらの期間に対応する画像群を画像群６１１および６１２として示す。
【０２２２】
この場合に、図２５に示す例と同様に、画像コンテンツＰ３４乃至Ｐ３６（画像群６１１）と、音楽コンテンツＭ３３（音楽群６１３）とが関連付けられているものとする（矢印６１５に示す）。また、矢印６１８に示すように、画像コンテンツＰ３８乃至Ｐ４１（画像群６１２）と、音楽コンテンツＭ３５（音楽群６１４）とが関連付けられているものとする。
【０２２３】
ここで、画像群６１１および６１２に関連付けられている音楽コンテンツＭ３３およびＭ３５は、他の音楽コンテンツよりもユーザにとって関心が高いと想定される。このため、画像群６１１および６１２に属する各画像コンテンツ以外の画像コンテンツについても、音楽コンテンツＭ３３およびＭ３５を関連付けることにより、ユーザにとって興味のある音楽コンテンツを提供することができると想定される。
【０２２４】
例えば、期間ＳＤ１において、最初の画像群６１１までの間に生成された画像コンテンツＰ３３については、矢印６１６に示すように、音楽コンテンツＭ３３を関連付ける。また、例えば、画像群６１１および６１２間に生成された画像コンテンツＰ３７については、矢印６１７に示すように、音楽コンテンツＭ３３を関連付ける。また、例えば、期間ＳＤ１において、最後の画像群６１２の後に生成された画像コンテンツＰ４２については、矢印６１９に示すように、音楽コンテンツＭ３５を関連付ける。
【０２２５】
このように、期間ＳＤ１内においては、画像群６１１および６１２に関連付けられている音楽コンテンツＭ３３およびＭ３５を、他の画像コンテンツに関連付けることにより、ユーザにとってさらに関心の高い音楽コンテンツを提供することができる。
【０２２６】
また、非日常行動期間において、所定時間内に所定数以上の画像コンテンツが生成された期間が存在しない場合も想定される。この場合には、本発明の第１の実施の形態で示したように、非日常行動期間における音楽コンテンツの再生頻度に基づいて、画像コンテンツおよび音楽コンテンツを関連付けることができる。このように、音楽コンテンツの再生頻度に基づいて、画像コンテンツおよび音楽コンテンツを１日単位で関連付ける例を図２７に示す。
【０２２７】
図２７には、画像コンテンツＰ５１乃至Ｐ５８と、音楽コンテンツＭ５１乃至Ｍ５６とを時系列で並べて示す。なお、図２７に示す例では、非日常行動期間抽出部１４０により非日常行動期間ＮＬ３が抽出されているものとする。また、非日常行動期間ＮＬ３において生成された画像コンテンツＰ５１乃至Ｐ５８が抽出され、非日常行動期間ＮＬ３において再生された音楽コンテンツＭ５１乃至Ｍ５６が抽出される。また、この例では、１日単位で画像コンテンツおよび音楽コンテンツの関連付けを行う例を示す。
【０２２８】
また、非日常行動期間ＮＬ３には、複数の日付が含まれているものとし、そのうちの１日を期間ＳＤ２とする。この場合には、期間ＳＤ２において生成された画像コンテンツＰ５３乃至Ｐ５７が特定され、期間ＳＤ２において再生された音楽コンテンツＭ５２乃至Ｍ５５が特定される。なお、期間ＳＤ２には、所定時間内に所定数以上の画像コンテンツが生成された期間が存在しないものとする。
【０２２９】
このように、期間ＳＤ２において、所定時間内に所定数以上の画像コンテンツが生成された期間が存在しない場合には、期間ＳＤ２における音楽コンテンツの再生頻度に基づいて、画像コンテンツおよび音楽コンテンツを関連付ける。例えば、期間ＳＤ２における音楽コンテンツＭ５２乃至Ｍ５５のうち、再生頻度が最も高い音楽コンテンツはＭ５３（音楽群６２２）である。このため、期間ＳＤ２における画像コンテンツＰ５３乃至Ｐ５７（画像群６２１）には、矢印６２３に示すように、音楽コンテンツＭ５３を関連付ける。
【０２３０】
このように、同一日付の期間において生成された画像コンテンツと再生された音楽コンテンツとを関連付けることにより、ユーザにとって関連性が深い関連付けを行うことができる。
【０２３１】
ここで、同一日付の期間において再生された音楽コンテンツが存在しない場合も想定される。この場合には、その期間の前後に生成された画像コンテンツに関連付けられている音楽コンテンツを用いて関連付けを行うことができる。このように、対象となる期間の前後に生成された画像コンテンツに関連付けられている音楽コンテンツを用いて１日単位で関連付ける例を図２８および図２９に示す。
【０２３２】
図２８には、画像コンテンツＰ６１乃至Ｐ６９と、音楽コンテンツＭ６１乃至Ｍ６３とを時系列で並べて示す。なお、図２８に示す例では、非日常行動期間抽出部１４０により非日常行動期間ＮＬ４が抽出されているものとする。また、非日常行動期間ＮＬ４において生成された画像コンテンツＰ６１乃至Ｐ６９が抽出され、非日常行動期間ＮＬ４において再生された音楽コンテンツＭ６１乃至Ｍ６３が抽出される。また、この例では、１日単位で画像コンテンツおよび音楽コンテンツの関連付けを行う例を示す。
【０２３３】
また、非日常行動期間ＮＬ４には、複数の日付が含まれているものとし、そのうちの連続する２日間を期間ＳＤ３、ＳＤ４とする。この場合には、期間ＳＤ３において生成された画像コンテンツＰ６１乃至Ｐ６３が特定され、期間ＳＤ３において再生された音楽コンテンツＭ６１乃至Ｍ６２が特定される。また、期間ＳＤ４において生成された画像コンテンツＰ６４乃至Ｐ６８が特定される。なお、期間ＳＤ４において再生された音楽コンテンツは存在しないものとする。
【０２３４】
なお、期間ＳＤ３における画像コンテンツおよび音楽コンテンツの関連付けについては、図２５乃至図２７に示す例と同様に行うことができる。例えば、矢印６３４に示すように、期間ＳＤ３における画像コンテンツＰ６１乃至Ｐ６３（画像群６３２）と、音楽コンテンツＭ６２（音楽群６３３）とを関連付けることができる。
【０２３５】
ここで、期間ＳＤ４において再生された音楽コンテンツが存在しない場合には、期間ＳＤ４よりも前の期間に生成された画像コンテンツに関連付けられている音楽コンテンツＭ６２（音楽群６３３）を用いることができる。すなわち、矢印６３５に示すように、期間ＳＤ４よりも前に再生された音楽コンテンツＭ６２（音楽群６３３）と、期間ＳＤ４において生成された画像コンテンツＰ６４乃至Ｐ６８（画像群６３５）とを関連付けることができる。
【０２３６】
なお、期間ＳＤ３に複数の音楽群が存在するような場合には、時間軸における最後の音楽群に属する音楽コンテンツを用いることができる。
【０２３７】
図２９には、画像コンテンツＰ７１乃至Ｐ７９と、音楽コンテンツＭ７１乃至Ｍ７３とを時系列で並べて示す。なお、図２９に示す例では、非日常行動期間抽出部１４０により非日常行動期間ＮＬ５が抽出されているものとする。また、非日常行動期間ＮＬ５において生成された画像コンテンツＰ７１乃至Ｐ７９が抽出され、非日常行動期間ＮＬ５において再生された音楽コンテンツＭ７１乃至Ｍ７３が抽出される。また、この例では、１日単位で画像コンテンツおよび音楽コンテンツの関連付けを行う例を示す。
【０２３８】
また、非日常行動期間ＮＬ５には、複数の日付が含まれているものとし、そのうちの連続する２日間を期間ＳＤ５、ＳＤ６とする。この場合には、期間ＳＤ５において生成された画像コンテンツＰ７２乃至Ｐ７６が特定される。また、期間ＳＤ６において生成された画像コンテンツＰ７７乃至Ｐ７９が特定され、期間ＳＤ６において再生された音楽コンテンツＭ７１乃至Ｍ７３が特定される。なお、期間ＳＤ５において再生された音楽コンテンツは存在しないものとする。
【０２３９】
なお、期間ＳＤ６における画像コンテンツおよび音楽コンテンツの関連付けについては、図２５乃至図２７に示す例と同様に行うことができる。例えば、矢印６４４に示すように、期間ＳＤ６における画像コンテンツＰ７７乃至Ｐ７９（画像群６４２）と、音楽コンテンツＭ７２（音楽群６４３）とを関連付けることができる。
【０２４０】
ここで、期間ＳＤ５において再生された音楽コンテンツが存在しない場合には、期間ＳＤ５よりも後に生成された画像コンテンツに関連付けられている音楽コンテンツＭ７２（音楽群６４３）を用いることができる。すなわち、矢印６４５に示すように、期間ＳＤ５よりも後に再生された音楽コンテンツＭ７２（音楽群６４３）と、期間ＳＤ５において生成された画像コンテンツＰ７２乃至Ｐ７６（画像群６４１）とを関連付けることができる。
【０２４１】
なお、期間ＳＤ６に複数の音楽群が存在するような場合には、時間軸における最初の音楽群に属する音楽コンテンツを用いることができる。
【０２４２】
このように、連続する２日間のうちの１日に生成された画像コンテンツと、連続する２日間のうち他の１日に再生された音楽コンテンツとを関連付けることにより、ユーザにとって関連性が深い関連付けを行うことができる。
【０２４３】
また、図２５乃至図２９に示すように、非日常行動コンテンツ生成部１５０が、画像コンテンツおよび音楽コンテンツの関連付けを行い、これらの画像コンテンツおよび音楽コンテンツに関する非日常行動コンテンツを生成する。このように生成された非日常行動コンテンツが、図３０に示すように、非日常行動コンテンツ記憶部６５０に記憶される。
【０２４４】
［非日常行動コンテンツ情報記憶部の記憶例］
図３０は、本発明の第２の実施の形態における非日常行動コンテンツ記憶部６５０の記憶内容の一例を模式的に示す図である。非日常行動コンテンツ記憶部６５０には、非日常行動コンテンツ識別情報６５１と、タイトル６５２と、日付６５３と、画像コンテンツリスト６５４と、音楽コンテンツリスト６５５と、代表画像６５６と、軌跡情報６５７とが記憶されている。なお、非日常行動コンテンツ記憶部６５０は、図１２に示す非日常行動コンテンツ記憶部１６０の一部を変形したものである。具体的には、非日常行動コンテンツ識別情報６５１、タイトル６５２、画像コンテンツリスト６５４、代表画像６５６および軌跡情報６５７は、非日常行動コンテンツ記憶部１６０における同一名称の各情報と同一のものである。このため、これらについての説明の一部を省略する。
【０２４５】
また、図３０に示す例では、図２６に示す関係に基づいて、画像コンテンツおよび音楽コンテンツを関連付けた非日常行動コンテンツ情報を記憶する例を示す。なお、この例では、図２６に示す画像コンテンツＰ３１およびＰ３２と、音楽コンテンツＭ３１とが関連付けられ、画像コンテンツＰ４３と、音楽コンテンツＭ３７とが関連付けられているものと想定する。
【０２４６】
日付６５３は、非日常行動期間抽出部１４０により抽出された非日常行動期間内における１日単位の期間を示す情報が日付情報として格納される。例えば、非日常行動期間内における連続する３日間の日付（２００９／１１／２１乃至１１／２３）が格納される。また、画像コンテンツリスト１６３に識別情報が格納されている画像コンテンツは、日付６５３に対応する期間毎または一定条件期間毎に関連付けて格納される。すなわち、日付毎または一定条件期間毎に分類して画像コンテンツが管理されている。
【０２４７】
音楽コンテンツリスト６５５には、非日常行動コンテンツ生成部１５０により生成された非日常行動コンテンツを構成する音楽コンテンツを再生するためのリストが格納される。また、音楽コンテンツリスト６５５に識別情報が格納されている音楽コンテンツは、日付６５３に対応する期間毎に関連付けて格納される。すなわち、日付毎に分類して音楽コンテンツが管理されている。また、この例では、日付６５３に対応する期間（例えば、１日単位）において、所定時間内に所定数以上の画像コンテンツが生成された期間（例えば、１時間単位）が存在する場合には、この期間毎（一定条件期間）に１つの音楽コンテンツが関連付けて格納される。例えば、日付６５３「２００９／１１／２２」には、２つの期間について、それぞれ１つの音楽コンテンツが関連付けて格納される。すなわち、画像コンテンツＰ３３乃至Ｐ３７と、音楽コンテンツＭ３３とが１つのグループとして決定され、画像コンテンツＰ３８乃至Ｐ４２と、音楽コンテンツＭ３５とが１つのグループとして決定され、各コンテンツがグループ毎に関連付けて格納される。一方、所定時間内に所定数以上の画像コンテンツが生成された期間（例えば、１時間単位）が存在しない場合には、日付６５３に対応する期間（例えば、１日単位）毎に１つの音楽コンテンツが関連付けて格納される。例えば、日付６５３「２００９／１１／２１」には、１つの音楽コンテンツのみが関連付けて格納される。すなわち、画像コンテンツＰ３１およびＰ３２と、音楽コンテンツＭ３１とが１つのグループとして決定され、各コンテンツが１つのグループとして関連付けて格納される。なお、この例では、各期間（例えば、１日単位、１時間単位）に１つの音楽コンテンツを関連付ける例を示すが、各期間に２以上の音楽コンテンツを関連付けるようにしてもよい。例えば、優先順位の上位の所定数の音楽コンテンツを関連付けることができる。
【０２４８】
音楽コンテンツリスト６５５の再生頻度には、関連付けの対象として音楽コンテンツが決定された際に用いられた値が格納される。例えば、その音楽コンテンツが決定された際に、対象期間における再生頻度（再生回数）が用いられた場合には、その再生頻度が格納される。例えば、図２６に示すように、画像群６１２に関連付けられている音楽コンテンツＭ３５の期間ＳＤ１における再生頻度（再生回数）は３である。このため、画像コンテンツＰ３８乃至Ｐ４２に対応する再生頻度には「３」が格納される。
【０２４９】
このように、非日常行動コンテンツ記憶部６５０に記憶されている非日常行動コンテンツ情報に基づいて、非日常行動コンテンツを再生させることができる。例えば、同一の非日常行動コンテンツに属する複数の画像コンテンツが選択された場合には、その選択された画像コンテンツに応じて、異なる音楽コンテンツが再生される可能性もある。この再生例については、図３１および図３２を参照して詳細に説明する。
【０２５０】
［非日常行動コンテンツの再生時における表示遷移例］
図３１および図３２は、本発明の第２の実施の形態における音声出力部１８０および表示部１９０の出力対象となるコンテンツを選択する際における表示遷移例を示す図である。
【０２５１】
図３１（ａ）には、非日常行動コンテンツを構成する各画像コンテンツから、再生対象となる画像コンテンツを選択するための画像コンテンツ選択画面６６０を示す。画像コンテンツ選択画面６６０は、図１７（ｂ）および図１８（ａ）に示す画像コンテンツ選択画面５３０と略同一であり、非日常行動コンテンツを構成する画像コンテンツを一覧表示する画面である。このため、画像コンテンツ選択画面５３０と共通する画像コンテンツ一覧表示領域６６１、「決定」ボタン６６２、「戻る」ボタン６６３、スクロールバー６６４、上下スクロールボタン６６５および６６６については、ここでの説明を省略する。
【０２５２】
また、この例では、図３０に示す非日常行動コンテンツ記憶部６５０の非日常行動コンテンツ識別情報６５１「ＮＥ１」に対応する各画像コンテンツＰ３１乃至Ｐ４３が画像コンテンツ一覧表示領域６６１に一覧表示されている例を示す。この場合に、カーソル６６７を用いて、画像コンテンツＰ３２が選択され、「決定」ボタン６６２が押下された場合を想定する。このように「決定」ボタン６６２が押下された場合には、図３１（ｂ）に示す音楽コンテンツ選択画面６７０が表示される。なお、図３１および図３２では、説明の容易のため、画像コンテンツＰ３１乃至Ｐ４３を表す画像を矩形により模式的に示す。また、図３１および図３２では、選択状態とされた画像コンテンツを表す画像については、その枠を太線で示す。
【０２５３】
図３１（ｂ）には、非日常行動コンテンツを構成する各音楽コンテンツから、再生対象となる音楽コンテンツを選択するための音楽コンテンツ選択画面６７０を示す。音楽コンテンツ選択画面６７０は、図１８（ｂ）に示す音楽コンテンツ選択画面５４０と略同一であり、非日常行動コンテンツを構成する音楽コンテンツを一覧表示する画面である。このため、音楽コンテンツ選択画面５４０と共通する曲名６７２、歌手名６７３、「優先順位に従って聴く」ボタン６７４、「再生開始」ボタン６７５、「戻る」ボタン６７６については、ここでの説明を省略する。
【０２５４】
ここで、本発明の第２の実施の形態では、図３０に示すように、画像コンテンツおよび音楽コンテンツが、日付６５３に対応する期間毎または一定条件期間毎に分類して管理されている。このため、画像コンテンツ選択画面６６０において選択された画像コンテンツに関連付けられている音楽コンテンツのみが音楽コンテンツ選択画面６７０に表示される。すなわち、同一の非日常行動コンテンツを構成する画像コンテンツであっても、日付６５３に対応する期間または一定条件期間が異なる場合には、異なる音楽コンテンツが音楽コンテンツ選択画面６７０に表示されることがある。例えば、図３１（ａ）に示すように、画像コンテンツＰ３２が選択された場合には、図３１（ｂ）に示すように、画像コンテンツＰ３２に関連付けられている音楽コンテンツＭ３１が音楽コンテンツ選択画面６７０に表示される。この場合に、優先順位（再生頻度）６７１には、選択された画像コンテンツＰ３２に関連付けられている音楽コンテンツに関する優先順位と、図３０に示す音楽コンテンツリスト６５５の再生頻度に格納されている値とが表示される。ここで、音楽コンテンツ選択画面６７０に表示される音楽コンテンツが１つの場合には、優先順位（再生頻度）６７１に表示される優先順位は１位となる。
【０２５５】
なお、図３２では、画像コンテンツ選択画面６６０において、日付６５３に対応する期間が異なる画像コンテンツが選択された場合における表示遷移例を示す。
【０２５６】
図３２（ａ）および（ｂ）には、画像コンテンツ選択画面６６０において、カーソル６６７を用いて、画像コンテンツＰ３７およびＰ４３が選択され、「決定」ボタン６６２が押下された場合における表示遷移例を示す。すなわち、図３２（ａ）に示す状態で「決定」ボタン６６２が押下された場合には、図３２（ｂ）に示す音楽コンテンツ選択画面６７０が表示される。
【０２５７】
例えば、図３０に示すように、画像コンテンツＰ３７は音楽コンテンツＭ３３に関連付けられ、画像コンテンツＰ４３は音楽コンテンツＭ３７に関連付けられている。このため、画像コンテンツＰ３７およびＰ４３が選択された場合には、画像コンテンツＰ３７に関連付けられている音楽コンテンツＭ３３と、画像コンテンツＰ４３に関連付けられている音楽コンテンツＭ３７とが音楽コンテンツ選択画面６７０に表示される。この場合に、図３０に示す音楽コンテンツリスト６５５の再生頻度に格納されている値が大きい音楽コンテンツの優先順位を高くして表示させる。例えば、音楽コンテンツＭ３３に対応する再生頻度は「２」であるのに対し、音楽コンテンツＭ３７に対応する再生頻度は「１」である。このため、音楽コンテンツＭ３３の優先順位は１位となり、音楽コンテンツＭ３７の優先順位は２位となる。また、優先順位（再生頻度）６７１には、このように決定された優先順位と、音楽コンテンツリスト６５５の再生頻度に格納されている値とが表示される。
【０２５８】
［情報処理装置の動作例］
図３３は、本発明の第２の実施の形態における情報処理装置１００による非日常行動コンテンツ生成処理の処理手順の一例を示すフローチャートである。この例は、図２３に示す処理手順の変形例であり、図２３に示すステップＳ９２３乃至Ｓ９２８に対応する処理手順である。
【０２５９】
最初に、非日常行動期間において所定時間内に所定数以上の画像コンテンツが生成された期間（一定条件期間）が存在するか否かが判断される（ステップＳ９５１）。一定条件期間が存在しない場合には（ステップＳ９５１）、ステップＳ９６０に進む。一方、一定条件期間が存在する場合には（ステップＳ９５１）、非日常行動コンテンツ生成部１５０が、一定条件期間よりも前の時間帯で生成された画像コンテンツのうち、時間軸において最後に生成された画像コンテンツを特定する。そして、非日常行動コンテンツ生成部１５０が、その特定された画像コンテンツの生成時から一定条件期間の終了時までの期間において再生された音楽コンテンツを特定する（ステップＳ９５２）。
【０２６０】
続いて、非日常行動コンテンツ生成部１５０が、特定された音楽コンテンツの再生頻度に基づいて優先順位を決定し、この優先順位を用いて一定条件期間における画像コンテンツと、特定された音楽コンテンツとを関連付ける（ステップＳ９５３）。続いて、日付毎のコンテンツ関連付処理が行われる（ステップＳ９６０）。この日付毎のコンテンツ関連付処理については、図３４を参照して詳細に説明する。
【０２６１】
図３４は、本発明の第２の実施の形態における情報処理装置１００による非日常行動コンテンツ生成処理の処理手順のうちの日付毎のコンテンツ関連付処理（図３３に示すステップＳ９６０の処理手順）の一例を示すフローチャートである。
【０２６２】
最初に、非日常行動期間内で最も早い日付が対象日付に設定される（ステップＳ９６１）。続いて、音楽コンテンツが関連付けられた画像群が、対象日付内に存在するか否かが判断される（ステップＳ９６２）。すなわち、図３３に示すステップＳ９５３で音楽コンテンツが関連付けられた画像コンテンツ（一定条件期間における画像コンテンツ）が存在するか否かが判断される。音楽コンテンツが関連付けられた画像群が、対象日付内に存在する場合には（ステップＳ９６２）、非日常行動コンテンツ生成部１５０が、その画像群に関連付けられている音楽コンテンツを用いて非日常行動コンテンツを生成する（ステップＳ９６３）。例えば、図２６に示すように、その画像群に関連付けられている音楽コンテンツを用いて、対象日付内における画像コンテンツおよび音楽コンテンツが関連付けられて非日常行動コンテンツが生成される。
【０２６３】
また、音楽コンテンツが関連付けられた画像群が、対象日付内に存在しない場合には（ステップＳ９６２）、対象日付内で再生された音楽コンテンツが存在するか否かが判断される（ステップＳ９６４）。対象日付内で再生された音楽コンテンツが存在する場合には（ステップＳ９６４）、非日常行動コンテンツ生成部１５０が、対象日付内で再生された音楽コンテンツの再生頻度に基づいて優先順位を決定する。そして、非日常行動コンテンツ生成部１５０が、その優先順位を用いて非日常行動コンテンツを生成する（ステップＳ９６５）。例えば、図２７に示すように、対象日付内で再生された音楽コンテンツの再生頻度に基づいて決定された優先順位を用いて、対象日付内における画像コンテンツおよび音楽コンテンツが関連付けられて非日常行動コンテンツが生成される。
【０２６４】
また、対象日付内で再生された音楽コンテンツが存在しない場合には（ステップＳ９６４）、対象日付の前の時間帯（例えば、前日）で再生された音楽コンテンツが存在するか否かが判断される（ステップＳ９６６）。対象日付の前の時間帯で再生された音楽コンテンツが存在する場合には（ステップＳ９６６）、非日常行動コンテンツ生成部１５０が、対象日付の前の時間帯で再生された音楽コンテンツの再生頻度に基づいて優先順位を決定する。そして、非日常行動コンテンツ生成部１５０が、その優先順位を用いて非日常行動コンテンツを生成する（ステップＳ９６７）。例えば、図２８に示すように、対象日付の前日に再生された音楽コンテンツの再生頻度に基づいて決定された優先順位を用いて、対象日付内における画像コンテンツおよび音楽コンテンツが関連付けられて非日常行動コンテンツが生成される。この場合に、図３３に示すステップＳ９５３で画像コンテンツ（一定条件期間における画像コンテンツ）に関連付けられている音楽コンテンツが、対象日付の前の時間帯に存在する場合には、この音楽コンテンツを優先的に用いるようにする。また、対象日付の前の時間帯として、一定範囲内の時間帯（例えば、２日以内）のみを限定して用いるようにしてもよい。
【０２６５】
また、対象日付の前の時間帯で再生された音楽コンテンツが存在しない場合には（ステップＳ９６６）、非日常行動コンテンツ生成部１５０が、対象日付の後の時間帯（例えば、翌日）で再生された音楽コンテンツの再生頻度に基づいて優先順位を決定する。そして、非日常行動コンテンツ生成部１５０が、その優先順位を用いて非日常行動コンテンツを生成する（ステップＳ９６８）。例えば、図２９に示すように、対象日付の翌日に再生された音楽コンテンツの再生頻度に基づいて決定された優先順位を用いて、対象日付内における画像コンテンツおよび音楽コンテンツが関連付けられて非日常行動コンテンツが生成される。この場合に、図３３に示すステップＳ９５３で画像コンテンツ（一定条件期間における画像コンテンツ）に関連付けられている音楽コンテンツが、対象日付の後の時間帯に存在する場合には、この音楽コンテンツを優先的に用いるようにする。また、対象日付の後の時間帯として、一定範囲内の時間帯（例えば、２日以内）のみを限定して用いるようにしてもよい。
【０２６６】
続いて、非日常行動期間内で他の日付が存在するか否かが判断され（ステップＳ９６９）、非日常行動期間内で他の日付が存在する場合には、他の日付のうちで最も早い日付が対象日付に設定され（ステップＳ９７０）、ステップＳ９６２に戻る。一方、非日常行動期間内で他の日付が存在しない場合には（ステップＳ９６９）、非日常行動コンテンツ生成部１５０が、生成された非日常行動コンテンツを非日常行動コンテンツ記憶部１６０に記録させる（ステップＳ９７１）。
【０２６７】
＜３．第３の実施の形態＞
本発明の第１および第２の実施の形態では、情報処理システム１０を構成する各装置（情報処理装置１００、位置情報取得装置１０１、撮像装置１０２および音楽再生装置１０３）をそれぞれ異なる装置として構成する例を示した。ただし、情報処理システム１０を構成する各装置については、その一部または全部を一体の装置として構成するようにしてもよい。そこで、本発明の第３の実施の形態では、情報処理システム１０を構成する各装置の一部または全部を一体の装置とする例を示す。
【０２６８】
［情報処理システムの構成例］
図３５は、本発明の第３の実施の形態における情報処理システム８００のシステム構成例を示すブロック図である。情報処理システム８００は、情報処理装置８０１と、撮像装置８０２と、音楽再生装置１０３とを備える。なお、情報処理システム８００は、図１に示す情報処理システム１０の一部を変形したものであり、位置情報取得装置１０１および撮像装置１０２の代わりに、位置情報取得部８０３を内蔵する撮像装置８０２を設けたものである。また、音楽再生装置１０３は、図１に示す音楽再生装置１０３と同一であり、情報処理装置８０１および撮像装置８０２は、図２に示す情報処理装置１００および撮像装置１０２の一部を変形したものである。このため、以下では、本発明の第１の実施の形態と共通する部分についての説明を省略し、異なる部分を中心にして説明する。
【０２６９】
情報処理装置８０１の非日常行動期間抽出部１４０（図２に示す）は、撮像装置８０２が備える画像管理情報記憶部８１０から画像管理情報（図３６（ａ）に示す）を取得する。そして、非日常行動期間抽出部１４０は、取得された画像管理情報に含まれる位置情報（緯度および経度）のうち、日常生活領域情報記憶部１３０に記憶されている日常生活領域情報により特定される日常生活領域の範囲外となる緯度および経度を特定する。そして、非日常行動期間抽出部１４０は、特定された緯度および経度に関連付けられている日時情報に基づいて非日常行動期間を抽出する。
【０２７０】
なお、非日常行動期間抽出部１４０は、画像コンテンツ記憶部２１０から画像ファイル（図３６（ｂ）に示す）を取得し、この取得された画像ファイルに記録されている位置情報および日時情報に基づいて非日常行動期間を抽出するようにしてもよい。
【０２７１】
撮像装置８０２は、画像コンテンツ記憶部２１０と、位置情報取得部８０３と、画像管理情報記憶部８１０とを備える。位置情報取得部８０３は、図１に示す位置情報取得部１０４と略同様であり、画像コンテンツの撮像時（生成時）における現在位置を示す位置情報を取得する。この取得された位置情報と、その取得時における日時情報とを画像コンテンツに関連付けた情報（画像管理情報）が画像管理情報記憶部８１０に記憶される。また、その取得された位置情報と、その取得時における日時情報とが記録された画像ファイルが画像コンテンツとして画像コンテンツ記憶部２１０に記憶される。
【０２７２】
［画像管理情報記憶部の記憶例および画像ファイルの構成例］
図３６は、本発明の第３の実施の形態における撮像装置８０２に記憶される画像管理情報および画像ファイルの記憶内容の一例を模式的に示す図である。
【０２７３】
図３６（ａ）には、画像管理情報記憶部８１０の記憶内容の一例を模式的に示す。画像管理情報記憶部８１０には、画像コンテンツ識別情報８１１と、日時情報８１２と、位置情報８１３とが関連付けて記憶されている。なお、画像コンテンツ識別情報８１１および日時情報８１２は、図９に示す画像コンテンツ識別情報２２１および日時情報２２２と同一であるため、ここでの説明を省略する。
【０２７４】
位置情報８１３には、位置情報取得部８０３により取得された位置情報（例えば、緯度および経度）が格納される。この位置情報は、例えば、撮像装置１０２により画像コンテンツが生成された際（画像コンテンツの撮像時）に取得される。
【０２７５】
このように画像管理情報記憶部８１０に記憶されている画像管理情報（日時情報８１２および位置情報８１３）を用いて非日常行動期間を抽出することができる。
【０２７６】
図３６（ｂ）には、画像コンテンツ記憶部２１０に記憶される画像ファイル（画像コンテンツ）のファイル構造の一例を示す。図３６（ｂ）に示す例では、ＤＣＦ（Design rule for Camera File system）規格により記録される静止画ファイルのファイル構造を概略的に示す。ＤＣＦは、デジタルスチルカメラやプリンタ等の機器間で、記録媒体を介して画像の相互利用を実現するためのファイルシステム規格である。また、ＤＣＦでは、Ｅｘｉｆ（Exchangeable image file format）をベースにして記録媒体に記録する場合におけるファイル名の付け方やフォルダの構成が規定されている。Ｅｘｉｆは、画像ファイルの中に画像データおよびカメラ情報を付加するための規格であり、画像ファイルを記録するための形式（ファイルフォーマット）を規定するものである。図３６（ｂ）には、画像ファイル２１１の構成例および付属情報２１２の構成例を示す。
【０２７７】
画像ファイル２１１は、ＤＣＦ規格により記録される静止画ファイルであり、付属情報２１２および画像情報２１３により構成されている。画像情報２１３は、例えば、撮像装置８０２の撮像素子（図示せず）により生成され、デジタル信号処理部（図示せず）により解像度変換され、ＪＰＥＧ形式で圧縮された画像データである。
【０２７８】
付属情報２１２は、属性情報２１４およびメーカーノート（maker note）２１５により構成されている。属性情報２１４は、画像ファイル２１１に関する属性情報等であり、例えば、ＧＰＳ情報、撮影更新日時（日時情報）、画サイズ、色空間情報、メーカー名等が含まれる。ＧＰＳ情報には、例えば、緯度、経度等の位置情報（例えば、ＴＡＧＩＤ＝１０００００１乃至１０００００４）が含まれる。
【０２７９】
メーカーノート２１５は、一般的にユーザ独自のデータが記録される領域であり、各メーカーが自由に情報を記録することができる拡張領域である（ＴＡＧＩＤ＝３７５００、MakerNote）。例えば、メーカーノート２１５には、ＧＰＳ情報等の位置情報を記録することができる。
【０２８０】
このように画像ファイル２１１に記録されている付属情報２１２（位置情報および日時情報）を用いて非日常行動期間を抽出することができる。
【０２８１】
［携帯型情報処理装置の構成例］
図３７は、本発明の第３の実施の形態における携帯型情報処理装置８５０の機能構成例を示すブロック図である。携帯型情報処理装置８５０は、図２に示す情報処理装置１００の一部を変形したものであり、図３５に示す撮像装置８０２および音楽再生装置１０３が備える各部と、撮像部８５１および記録制御部８５３とを設けたものである。また、携帯型情報処理装置８５０は、図２に示す情報処理装置１００において、コンテンツ出力制御部１７０の代わりに、コンテンツ出力制御部８５４を設けたものである。このため、以下では、本発明の第１の実施の形態と共通する部分についての説明を省略し、異なる部分を中心にして説明する。
【０２８２】
撮像部８５１は、レンズ（図示せず）を介して入射された被写体の光を電気信号に変換する撮像素子（図示せず）と、この撮像素子の出力信号を処理して撮像画像（画像データ）を生成する信号処理部（図示せず）とを備える。すなわち、撮像部８５１において、レンズを介して入射された被写体の光学像が撮像素子の撮像面に結像され、この状態で撮像素子が撮像動作を行い、信号処理部が撮像信号に対して信号処理を行うことにより、撮像画像が生成される。この撮像画像の生成は、操作受付部１１０から出力される撮像動作の開始指示情報に基づいて行われる。そして、生成された撮像画像が記録制御部８５３に供給される。
【０２８３】
位置情報取得部８５２は、図１に示す位置情報取得部１０４と略同様であり、画像コンテンツの撮像時（生成時）における現在位置を示す位置情報を取得し、この取得された位置情報を記録制御部８５３および非日常行動期間抽出部１４０に出力する。
【０２８４】
記録制御部８５３は、撮像部８５１から供給された撮像画像を画像コンテンツ（画像ファイル）として画像コンテンツ記憶部２１０に記録させるものである。この記録時に、位置情報取得部８５２から出力された位置情報と、その取得時における日時情報とが画像コンテンツに記録される。また、記録制御部８５３は、その記録された画像コンテンツに関する画像管理情報を画像管理情報記憶部８１０に記録させる。この場合に、位置情報取得部８５２から出力された位置情報と、その取得時における日時情報とが関連付けられた画像管理情報が画像管理情報記憶部８１０に記録される。
【０２８５】
コンテンツ出力制御部８５４は、操作受付部１１０により受け付けられたユーザ操作に基づいて、各コンテンツを音声出力部１８０および表示部１９０に出力させるものである。また、コンテンツ出力制御部８５４は、音楽コンテンツが再生された場合には、その再生された音楽コンテンツの再生履歴を示す音楽再生履歴情報をその再生時における日時情報に関連付けて音楽再生履歴情報記憶部２３０に記録させる。
【０２８６】
ここで、携帯型情報処理装置８５０において、非日常行動コンテンツを生成する際における生成開始のタイミングについて説明する。例えば、携帯型情報処理装置８５０が位置情報取得部８５２を備えるため、非日常行動期間抽出部１４０は、日常生活領域情報記憶部１３０に記憶されている日常生活領域情報により特定される日常生活領域の範囲外であるか否かを順次判定することができる。そこで、例えば、位置情報取得部８５２により取得された位置情報により特定される位置（現在位置）が日常生活領域の範囲外であると判定された後に、その現在位置が日常生活領域の範囲内であると判定されたことを生成開始の条件とすることができる。これにより、例えば、ユーザが旅行に出かけた場合には、その旅行から自宅に帰った際に、速やかに非日常行動コンテンツを生成することができる。また、本発明の第１の実施の形態と同様に、ユーザ操作に基づいて、非日常行動コンテンツの生成を開始するようにしてもよい。
【０２８７】
また、本発明の第３の実施の形態では、画像コンテンツに位置情報を関連付ける例を示すが、例えば、音楽再生履歴情報に位置情報を関連付けて記憶するようにしてもよい。また、本発明の第３の実施の形態では、音楽再生履歴情報記憶部２３０には、音楽コンテンツ記憶部２４０に記憶されている音楽コンテンツの音声出力に関する履歴情報を記憶する例を示す。ただし、例えば、ラジオ受信機により受信された音楽やインターネットを介して配信された音楽が音声出力され、これらの音楽が特定可能な場合も想定される。この場合には、その音声出力に関する履歴情報を音楽再生履歴情報記憶部２３０に記録しておき、その履歴情報を用いて非日常行動コンテンツを生成するようにしてもよい。
【０２８８】
このように、本発明の実施の形態によれば、例えば、日常生活領域以外の領域における行動期間を非日常行動期間として認識し、この非日常行動期間において生成された画像コンテンツおよび再生された音楽コンテンツを容易に用いることができる。これにより、例えば、非日常行動期間（例えば、旅行に行っていた期間）において生成された画像コンテンツおよび再生された音楽コンテンツを用いて、非日常行動期間に関するユーザ好みのコンテンツを容易に用いることができる。また、ユーザ好みの編集作業を行う場合に、その編集作業に係る負荷を軽減させることができる。
【０２８９】
また、撮像機能付き携帯電話機、ナビゲーションシステム、携帯型メディアプレイヤー等のコンテンツを扱うことが可能な情報処理装置に本発明の実施の形態を適用することができる。
【０２９０】
なお、本発明の実施の形態は本発明を具現化するための一例を示したものであり、本発明の実施の形態において明示したように、本発明の実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、本発明の要旨を逸脱しない範囲において実施の形態に種々の変形を施すことにより具現化することができる。
【０２９１】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【符号の説明】
【０２９２】
１０、８００  情報処理システム
１００、８０１  情報処理装置
１０１  位置情報取得装置
１０２、８０２  撮像装置
１０３  音楽再生装置
１０４、８０３、８５２  位置情報取得部
１１０  操作受付部
１２０  日常生活領域登録部
１３０  日常生活領域情報記憶部
１４０  非日常行動期間抽出部
１５０  非日常行動コンテンツ生成部
１６０、６５０  非日常行動コンテンツ記憶部
１７０、８５４  コンテンツ出力制御部
１８０  音声出力部
１９０  表示部
２００  移動履歴情報記憶部
２１０  画像コンテンツ記憶部
２２０、８１０  画像管理情報記憶部
２３０  音楽再生履歴情報記憶部
２４０  音楽コンテンツ記憶部
２５０  地図情報記憶部
８５０  携帯型情報処理装置
８５１  撮像部
８５３  記録制御部
【図１】
2011128664.tif 000003
【図２】
2011128664.tif 000004
【図３】
2011128664.tif 000005
【図４】
2011128664.tif 000006
【図５】
2011128664.tif 000007
【図６】
2011128664.tif 000008
【図７】
2011128664.tif 000009
【図８】
2011128664.tif 000010
【図９】
2011128664.tif 000011
【図１０】
2011128664.tif 000012
【図１１】
2011128664.tif 000013
【図１２】
2011128664.tif 000014
【図１３】
2011128664.tif 000015
【図１４】
2011128664.tif 000016
【図１５】
2011128664.tif 000017
【図１６】
2011128664.tif 000018
【図１７】
2011128664.tif 000019
【図１８】
2011128664.tif 000020
【図１９】
2011128664.tif 000021
【図２０】
2011128664.tif 000022
【図２１】
2011128664.tif 000023
【図２２】
2011128664.tif 000024
【図２３】
2011128664.tif 000025
【図２４】
2011128664.tif 000026
【図２５】
2011128664.tif 000027
【図２６】
2011128664.tif 000028
【図２７】
2011128664.tif 000029
【図２８】
2011128664.tif 000030
【図２９】
2011128664.tif 000031
【図３０】
2011128664.tif 000032
【図３１】
2011128664.tif 000033
【図３２】
2011128664.tif 000034
【図３３】
2011128664.tif 000035
【図３４】
2011128664.tif 000036
【図３５】
2011128664.tif 000037
【図３６】
2011128664.tif 000038
【図３７】
2011128664.tif 000039